(57)【特許請求の範囲】
【請求項１】
無線通信システムにおける端末のコンテンションウィンドウ大きさ（ＣＷＳ）を調整する方法において、
自律的アップリンク（ＡＵＬ）送信に基づいて、第１のＨＡＲＱプロセスに関連した第１のデータを基地局に送信するステップと、
グラントベースのアップリンク送信に基づいて、第２のＨＡＲＱプロセスに関連した第２のデータを前記基地局に送信するステップと、
前記第１のデータに対する第１のＡＣＫ／ＮＡＣＫ情報及び前記第２のデータに対する第２のＡＣＫ／ＮＡＣＫ情報をＡＵＬ−ＤＦＩに含まれるＨＡＲＱ−ＡＣＫビットマップを介して受信するステップと、
前記ＨＡＲＱ−ＡＣＫビットマップに含まれる前記第１のＡＣＫ／ＮＡＣＫ情報に基づいて、前記第１のＨＡＲＱプロセスに関連する第１のＣＷＳを調整するステップと、
前記ＨＡＲＱ−ＡＣＫビットマップに含まれる前記第２のＡＣＫ／ＮＡＣＫ情報に基づいて、前記第２のＨＡＲＱプロセスに関連する第２のＣＷＳを調整するステップと、
を含み、
前記ＨＡＲＱ−ＡＣＫビットマップの大きさは、前記ＡＵＬ送信の送信モードにより決まり、
（ｉ）１つのサブフレームに１つのトランスポートブロックのみが含まれる送信モード１で設定される前記ＡＵＬ送信、及び（ｉｉ）１つのサブフレームに最大２つのトランスポートブロックが含まれる送信モード２で設定される前記グラントベースのアップリンク送信に基づいて、前記２つのトランスポートブロックの少なくとも１つに対するＡＣＫ／ＮＡＣＫがＡＣＫであることに基づいて、前記ＨＡＲＱ−ＡＣＫビットマップに含まれる前記第２のＡＣＫ／ＮＡＣＫ情報はＡＣＫであり、前記２つのトランスポートブロックに対するＡＣＫ／ＮＡＣＫの全てがＮＡＣＫであることに基づいて、前記ＨＡＲＱ−ＡＣＫビットマップに含まれる前記第２のＡＣＫ／ＮＡＣＫ情報はＮＡＣＫである、方法。
【請求項２】
前記第１のＣＷＳと前記第２のＣＷＳの各々は、前記端末のチャネルアクセス手順（ＣＡＰ）において使用されるカウンタの初期値の決定に関連する、請求項１に記載の方法。
【請求項３】
前記端末は、第１の特定時間区間の間にチャネルをセンシングし、前記第１の特定時間区間の間に前記チャネルがアイドルであり、前記カウンタの値が０であることに基づいて、前記チャネルを介して前記第１のデータを前記基地局に送信する、請求項２に記載の方法。
【請求項４】
前記端末は、第２の特定時間区間の間にチャネルをセンシングし、前記第２の特定時間区間の間に前記チャネルがアイドルであり、前記カウンタの値が０であることに基づいて、前記チャネルを介して前記第２のデータを前記基地局に送信する、請求項２に記載の方法。
【請求項５】
前記第２のＡＣＫ／ＮＡＣＫ情報がＮＡＣＫであることに基づいて、前記端末の前記第２のＣＷＳが増加する、請求項１に記載の方法。
【請求項６】
前記第２のデータに対する前記第２のＡＣＫ／ＮＡＣＫ情報がＡＣＫであることに基づいて、前記端末の前記第２のＣＷＳが最小値にリセットされる、請求項１に記載の方法。
【請求項７】
前記ＡＵＬ送信は、前記基地局からグラントを受信せずに実行されるアップリンク送信であり、前記グラントベースのアップリンク送信は、前記基地局から受信したグラントに基づいて実行されるアップリンク送信である、請求項１に記載の方法。
【請求項８】
前記ＡＵＬ−ＤＦＩに含まれる前記第２のＡＣＫ／ＮＡＣＫ情報は、ＨＡＲＱ動作に使われずに、前記第２のＣＷＳの調整に使われる、請求項１に記載の方法。
【請求項９】
前記第２のデータが複数のトランスポートブロックを含むことに基づいて、前記第２のＡＣＫ／ＮＡＣＫ情報は、前記複数のトランスポートブロックに対するＡＣＫ／ＮＡＣＫに対して実行される論理的ＯＲ演算に基づいた空間バンドリングにより決定される、請求項１に記載の方法。
【請求項１０】
前記第１のデータ及び前記第２のデータは、非免許帯域を介して送信される、請求項１に記載の方法。
【請求項１１】
前記第２のデータをスケジューリングするグラントを受信するステップをさらに含む、請求項１に記載の方法。
【請求項１２】
端末であって、
無線信号を送信及び受信する送受信機と、
前記送受信機と結合して動作するプロセッサと、を含み、
前記プロセッサは、
自律的アップリンク（ＡＵＬ）送信に基づいて、第１のＨＡＲＱプロセスに関連した第１のデータを基地局に送信し、
グラントベースのアップリンク送信に基づいて、第２のＨＡＲＱプロセスに関連した第２のデータを前記基地局に送信し、
前記第１のデータに対する第１のＡＣＫ／ＮＡＣＫ情報及び前記第２のデータに対する第２のＡＣＫ／ＮＡＣＫ情報をＡＵＬ−ＤＦＩに含まれるＨＡＲＱ−ＡＣＫビットマップを介して受信し、
前記ＨＡＲＱ−ＡＣＫビットマップに含まれる前記第１のＡＣＫ／ＮＡＣＫ情報に基づいて、前記第１のＨＡＲＱプロセスに関連する第１のＣＷＳを調整し、
前記ＨＡＲＱ−ＡＣＫビットマップに含まれる前記第２のＡＣＫ／ＮＡＣＫ情報に基づいて、前記第２のＨＡＲＱプロセスに関連する第２のＣＷＳを調整するよう構成され、
前記ＨＡＲＱ−ＡＣＫビットマップの大きさは、前記ＡＵＬ送信の送信モードにより決まり、
（ｉ）１つのサブフレームに１つのトランスポートブロックのみが含まれる送信モード１で設定される前記ＡＵＬ送信、及び（ｉｉ）１つのサブフレームに２つのトランスポートブロックが含まれる送信モード２で設定される前記グラントベースのアップリンク送信に基づいて、前記２つのトランスポートブロックの少なくとも１つに対するＡＣＫ／ＮＡＣＫがＡＣＫであることに基づいて、前記ＨＡＲＱ−ＡＣＫビットマップに含まれる前記第２のＡＣＫ／ＮＡＣＫ情報はＡＣＫであり、前記２つのトランスポートブロックに対するＡＣＫ／ＮＡＣＫの全てがＮＡＣＫであることに基づいて、前記ＨＡＲＱ−ＡＣＫビットマップに含まれる前記第２のＡＣＫ／ＮＡＣＫ情報はＮＡＣＫである、端末。
【発明の詳細な説明】
【技術分野】
【０００１】
本発明は、無線通信に関し、より詳しくは、無線通信システムにおけるコンテンションウィンドウ大きさ調整方法及び前記方法を利用する装置に関する。
【背景技術】
【０００２】
より多くの通信機器の大きい通信容量の要求に応じて、既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線アクセス技術の導入が論議されており、本発明では便宜上該当技術（ｔｅｃｈｎｏｌｏｇｙ）をｎｅｗ  ＲＡＴまたはＮＲという。
【０００３】
ＬＴＥ／ＮＲシステムのようなセルラー通信システムも、既存のワイパイ（ＷｉＦｉ）システムが主に使用する２．４ギガヘルツ（ｇｉｇａｈｅｒｔｚ：ＧＨｚ）帯域のような非免許帯域や、新しく注目を浴びている５ＧＨｚ及び６０ＧＨｚ帯域のような非免許帯域をトラフィックオフローディングに活用する方案を検討中である。
【０００４】
基本的に、非免許帯域は、各通信ノード間のコンテンションを介して無線送受信をする方式を仮定するため、各通信ノードが信号を送信する前にチャネルセンシング（ｃｈａｎｎｅｌ  ｓｅｎｓｉｎｇ）を実行して他の通信ノードが信号送信をしないことを確認することを要求している。便宜上、このような動作をＬＢＴ（ｌｉｓｔｅｎ  ｂｅｆｏｒｅ  ｔａｌｋ）またはチャネルアクセス手順（ｃｈａｎｎｅｌ  ａｃｃｅｓｓ  ｐｒｏｃｅｄｕｒｅ）といい、特に、他の通信ノードが信号送信をするかどうかを確認する動作を搬送波センシング（ｃａｒｒｉｅｒ  ｓｅｎｓｉｎｇ：ＣＳ）、他の通信ノードが信号送信をしないと判断した場合をＣＣＡ（ｃｌｅａｒ  ｃｈａｎｎｅｌ  ａｓｓｅｓｓｍｅｎｔ）が確認されたと定義する。
【０００５】
前記チャネルアクセス手順では、データを送信する前に一定時間区間でチャネルをセンシングし、前記一定時間区間でチャネルが使用可能な場合、ランダムバックオフカウンタ（ｒａｎｄｏｍ  ｂａｃｋｏｆｆ  ｃｏｕｎｔｅｒ）の値が０である場合にデータを送信する。このとき、前記カウンタの初期値は、コンテンションウィンドウ大きさという値に基づいて決定される。
【０００６】
端末がデータを送信し、これに対するＡＣＫ／ＮＡＣＫ（ａｃｋｎｏｗｌｅｄｇｅｍｅｎｔ／ｎｅｇａｔｉｖｅ  ａｃｋｎｏｗｌｅｄｇｅｍｅｎｔ）を受信すると、前記ＡＣＫ／ＮＡＣＫに基づいて前記コンテンションウィンドウ大きさを調整することができる。このとき、前記ＡＣＫ／ＮＡＣＫが複数のトランスポートブロック（コードワード）に対するものである時、前記ＡＣＫ／ＮＡＣＫを送信する情報フィールドの大きさを考慮して空間バンドリング（ｓｐａｔｉａｌ  ｂｕｎｄｌｉｎｇ）が必要であり、非免許帯域での端末送信が効率的に実行されながら干渉を減らすことができる空間バンドリング方法が問題になる。
【発明の概要】
【発明が解決しようとする課題】
【０００７】
本発明が解決しようとする技術的課題は、無線通信システムにおけるコンテンションウィンドウ大きさ調整方法及び前記方法を利用する装置を提供することにある。
【課題を解決するための手段】
【０００８】
一側面において、無線通信システムにおける端末のコンテンションウィンドウ大きさ（ｃｏｎｔｅｎｔｉｏｎ  ｗｉｎｄｏｗ  ｓｉｚｅ：ＣＷＳ）調整方法を提供する。前記方法は、自律的アップリンク（Ａｕｔｏｎｏｍｏｕｓ  ｕｐｌｉｎｋ：ＡＵＬ）送信による第１のデータを基地局に送信し、グラントベースのアップリンク（ｇｒａｎｔ−ｂａｓｅｄ  ｕｐｌｉｎｋ）送信による第２のデータを前記基地局に送信し、前記第１のデータに対する第１のＡＣＫ／ＮＡＣＫ（ａｃｋｎｏｗｌｅｄｇｅｍｅｎｔ／ｎｅｇａｔｉｖｅ  ａｃｋｎｏｗｌｅｄｇｅｍｅｎｔ）情報及び前記第２のデータに対する第２のＡＣＫ／ＮＡＣＫ情報をＡＵＬ−ＤＦＩ（ＡＵＬ−ｄｏｗｎｌｉｎｋ  ｆｅｅｄｂａｃｋ  ｉｎｄｉｃａｔｉｏｎ）を介して受信し、前記ＡＵＬ−ＤＦＩが含む前記第１のＡＣＫ／ＮＡＣＫ情報及び前記第２のＡＣＫ／ＮＡＣＫ情報のうち少なくとも一つに基づいてコンテンションウィンドウ大きさを調整（ａｄｊｕｓｔ）し、前記第１のデータは一つのトランスポートブロックのみを含み、前記第２のデータは複数のトランスポートブロックを含む場合、前記複数のトランスポートブロックのうち少なくとも一つに対してＡＣＫである時は、前記第２のＡＣＫ／ＮＡＣＫ情報がＡＣＫに決められ、前記複数のトランスポートブロックの全てに対してＮＡＣＫである時は、前記第２のＡＣＫ／ＮＡＣＫ情報がＮＡＣＫに決められることを特徴とする。
【０００９】
前記コンテンションウィンドウ大きさは、前記端末のチャネルアクセス手順（ｃｈａｎｎｅｌ  ａｃｃｅｓｓ  ｐｒｏｃｅｄｕｒｅ：ＣＡＰ）に使われるカウンタの初期値決定に関連する。
【００１０】
前記端末は、第１の特定時間区間の間にチャネルをセンシングし、前記第１の特定時間区間の間に前記チャネルがアイドル（ｉｄｌｅ）であり、前記カウンタの値が０である場合、前記チャネルを介して前記第１のデータを前記基地局に送信する。
【００１１】
前記端末は、第２の特定時間区間の間にチャネルをセンシングし、前記第２の特定時間区間の間に前記チャネルがアイドル（ｉｄｌｅ）であり、前記カウンタの値が０である場合、前記チャネルを介して前記第２のデータを前記基地局に送信する。
【００１２】
前記第１のデータは、第１のＨＡＲＱプロセスに関連したデータであり、前記第２のデータは、第２のＨＡＲＱプロセスに関連したデータである。
【００１３】
前記第２のデータに含まれている前記複数のトランスポートブロックの全てに対してＮＡＣＫが発生して前記第２のＡＣＫ／ＮＡＣＫ情報がＮＡＣＫである場合、前記端末のコンテンションウィンドウ大きさを増加させる。
【００１４】
前記第２のデータに対する前記第２のＡＣＫ／ＮＡＣＫ情報がＡＣＫである場合、前記端末のコンテンションウィンドウ大きさを最小値にリセット（ｒｅｓｅｔ）する。
【００１５】
前記ＡＵＬ−ＤＦＩは、ビットマップを含み、前記ビットマップの第１のビットは、前記第１のデータに対するＡＣＫ／ＮＡＣＫを指示し、第２のビットは、前記第２のデータに対するＡＣＫ／ＮＡＣＫを指示する。
【００１６】
前記自律的アップリンク（Ａｕｔｏｎｏｍｏｕｓ  ｕｐｌｉｎｋ：ＡＵＬ）送信は、前記基地局からグラントを受信せずに実行するアップリンク送信であり、前記グラントベースのアップリンク（ｇｒａｎｔ−ｂａｓｅｄ  ｕｐｌｉｎｋ）送信は、前記基地局からグラントを受信し、受信したグラントに基づいて実行するアップリンク送信である。
【００１７】
前記ＡＵＬ−ＤＦＩに含まれている前記第２のＡＣＫ／ＮＡＣＫ情報は、ＨＡＲＱ（Ｈｙｂｒｉｄ  ａｕｔｏｍａｔｉｃ  ｒｅｐｅａｔ  ｒｅｑｕｅｓｔ）動作に使われずに、前記コンテンションウィンドウ大きさ調整に使われる。
【００１８】
前記第２のデータが複数のトランスポートブロックを含む場合、前記第２のＡＣＫ／ＮＡＣＫ情報は、前記複数のトランスポートブロックに対して実行された論理的ＯＲ演算（ｏｐｅｒａｔｉｏｎ）による空間バンドリングにより決定される。
【００１９】
前記第１のデータ及び前記第２のデータは、非免許帯域（ｕｎｌｉｃｅｎｓｅｄ  ｂａｎｄ）を介して送信される。
【００２０】
前記第２のデータをスケジューリングするグラントを受信するステップをさらに含む。
【００２１】
他の側面において、無線通信システムにおける基地局のダウンリンクフィードバック情報送信方法を提供する。前記方法は、端末から自律的アップリンク（Ａｕｔｏｎｏｍｏｕｓ  ｕｐｌｉｎｋ：ＡＵＬ）送信による第１のデータを受信し、前記端末からグラントベースのアップリンク（ｇｒａｎｔ−ｂａｓｅｄ  ｕｐｌｉｎｋ）送信による第２のデータを受信し、前記第１のデータに対する第１のＡＣＫ／ＮＡＣＫ（ａｃｋｎｏｗｌｅｄｇｅｍｅｎｔ／ｎｅｇａｔｉｖｅ  ａｃｋｎｏｗｌｅｄｇｅｍｅｎｔ）情報及び前記第２のデータに対する第２のＡＣＫ／ＮＡＣＫ情報をＡＵＬ−ＤＦＩ（ＡＵＬ−ｄｏｗｎｌｉｎｋ  ｆｅｅｄｂａｃｋ  ｉｎｄｉｃａｔｉｏｎ）を介して送信し、前記第１のデータは一つのトランスポートブロックのみを含み、前記第２のデータは複数のトランスポートブロックを含む場合、前記複数のトランスポートブロックのうち少なくとも一つに対してＡＣＫである時は、前記第２のＡＣＫ／ＮＡＣＫ情報がＡＣＫに決められ、前記複数のトランスポートブロックの全てに対してＮＡＣＫである時は、前記第２のＡＣＫ／ＮＡＣＫ情報がＮＡＣＫに決められることを特徴とする。
【００２２】
他の側面で提供される端末は、無線信号を送信及び受信する送受信機（Ｔｒａｎｓｃｅｉｖｅｒ）、及び前記送受信機と結合して動作するプロセッサを含み、前記プロセッサは、自律的アップリンク（Ａｕｔｏｎｏｍｏｕｓ  ｕｐｌｉｎｋ：ＡＵＬ）送信による第１のデータを基地局に送信し、グラントベースのアップリンク（ｇｒａｎｔ−ｂａｓｅｄ  ｕｐｌｉｎｋ）送信による第２のデータを前記基地局に送信し、前記第１のデータに対する第１のＡＣＫ／ＮＡＣＫ（ａｃｋｎｏｗｌｅｄｇｅｍｅｎｔ／ｎｅｇａｔｉｖｅ  ａｃｋｎｏｗｌｅｄｇｅｍｅｎｔ）情報及び前記第２のデータに対する第２のＡＣＫ／ＮＡＣＫ情報をＡＵＬ−ＤＦＩ（ＡＵＬ−ｄｏｗｎｌｉｎｋ  ｆｅｅｄｂａｃｋ  ｉｎｄｉｃａｔｉｏｎ）を介して受信し、前記ＡＵＬ−ＤＦＩが含む前記第１のＡＣＫ／ＮＡＣＫ情報及び前記第２のＡＣＫ／ＮＡＣＫ情報のうち少なくとも一つに基づいてコンテンションウィンドウ大きさを調整（ａｄｊｕｓｔ）し、前記第１のデータは一つのトランスポートブロックのみを含み、前記第２のデータは複数のトランスポートブロックを含む場合、前記複数のトランスポートブロックのうち少なくとも一つに対してＡＣＫである時は、前記第２のＡＣＫ／ＮＡＣＫ情報がＡＣＫに決められ、前記複数のトランスポートブロックの全てに対してＮＡＣＫである時は、前記第２のＡＣＫ／ＮＡＣＫ情報がＮＡＣＫに決められることを特徴とする。
【発明の効果】
【００２３】
非免許帯域で端末のデータ送信方法には、ＵＬグラントに基づいてデータを送信するＳＵＬ（ｓｃｈｅｄｕｌｅｄ  ｕｐｌｉｎｋ）送信と、ＵＬグラントなしでデータを送信することができるＡＵＬ（ａｕｔｏｎｏｍｏｕｓ  ｕｐｌｉｎｋ）送信と、がある。二つの方法は、互いに異なるサブフレームで混用されることができ、基地局は、前記二つの方法により受信したデータに対するＡＣＫ／ＮＡＣＫをＡＵＬ−ＤＦＩ（ｄｏｗｎｌｉｎｋ  ｆｅｅｄｂａｃｋ  ｉｎｄｉｃａｔｉｏｎ）を介して端末に送信できる。例えば、ＡＵＬ−ＤＦＩ内にはビットマップフィールドを介してＡＣＫ／ＮＡＣＫを送信することができ、前記ビットマップフィールドの各ビットが各ＵＬ  ＨＡＲＱプロセスに対するＡＣＫ／ＮＡＣＫを示すことができる。前記ビットマップフィールドは、ＡＵＬの送信モードによってビット数が決定されることができる。一方、非免許帯域では送信機会が制限的であるため、前記ビットマップフィールドは、ＡＵＬに設定されない（即ち、ＳＵＬ）ＨＡＲＱプロセスに対するＡＣＫ／ＮＡＣＫも含むことができる。このとき、前記ＳＵＬによるＨＡＲＱプロセスが複数のトランスポートブロック（コードワード）を含んでいる場合、それに対応されるＡＣＫ／ＮＡＣＫは、空間バンドリングされて前記ビットマップフィールドの該当ビットに含まれることができる。このとき、本発明では論理的ＯＲ演算により前記ＡＣＫ／ＮＡＣＫに対する空間バンドリングを実行する。これは、Ｗｉ−Ｆｉのような他の無線接続技術を使用するノードの同時送信によりデコーディング失敗確率が高い場合（即ち、ＳＵＬによる複数のトランスポートブロックの各々に対して全てＮＡＣＫが発生する場合）は、空間バンドリング結果、ＮＡＣＫをフィードバックするようにして、結果的に端末のコンテンションウィンドウ大きさを増加させることによって、次の送信のためのＬＢＴ実行時に他のノードとの衝突確率を減少させることができる。また、他のノードの同時送信でない理由による一般的なデコーディング失敗である確率が高い場合（即ち、ＳＵＬによる複数のトランスポートブロックの各々に対して一部のみＮＡＣＫが発生する場合）は、ＡＣＫをフィードバックして端末のコンテンションウィンドウ大きさを最小値にリセットさせることによって、次の送信のためのＬＢＴに不利益（ｐｅｎａｌｔｙ）を与えることがないようになる。このような方式を介して非免許帯域でのデータ送信が効率的に実行されることができる。
【図面の簡単な説明】
【００２４】
【図１】図１は、本発明が適用されることができる無線通信システムを例示する。
【図２】図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。
【図３】図３は、制御平面（ｃｏｎｔｒｏｌ  ｐｌａｎｅ）に対する無線プロトコル構造を示したブロック図である。
【図４】図４は、ＮＲが適用される次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】図５は、ＮＧ−ＲＡＮと５ＧＣとの間の機能的分割を例示する。
【図６】図６は、ＮＲで適用されることができるフレーム構造を例示する。
【図７】図７は、ＣＯＲＥＳＥＴを例示する。
【図８】図８は、従来の制御領域とＮＲでのＣＯＲＥＳＥＴの相違点を示す。
【図９】図９は、新しい無線アクセス技術に対するフレーム構造の一例を示す。
【図１０】図１０は、前記ＴＸＲＵ及び物理的アンテナ観点でハイブリッドビームフォーミング（Ｈｙｂｒｉｄ  ｂｅａｍｆｏｒｍｉｎｇ）構造を抽象的に図式化したものである。
【図１１】図１１は、ダウンリンク（Ｄｏｗｎｌｉｎｋ：ＤＬ）送信過程で同期化シグナル（ｓｙｎｃｈｒｏｎｉｚａｔｉｏｎ  ｓｉｇｎａｌ）とシステム情報（ｓｙｓｔｅｍ  ｉｎｆｏｒｍａｔｉｏｎ）に対して前記ビームスイーピング（ｂｅａｍ  ｓｗｅｅｐｉｎｇ）動作を図式化したものである。
【図１２】図１２は、チャネルアクセス手順（または、ＬＢＴ）を例示する。
【図１３】図１３は、非免許帯域での基地局と端末との間の動作の一例を示す。
【図１４】図１４は、自律的アップリンク送信（ａｕｔｏｎｏｍｏｕｓ  ＵＬ  ｔｒａｎｓｍｉｓｓｉｏｎ：ＡＵＬ  ｔｒａｎｓｍｉｓｓｉｏｎ、以下、ＡＵＬと略称できる）による基地局と端末との間の動作方法を例示する。
【図１５】図１５は、基地局とのＣＯＴ共有可能可否を指示する例を示す。
【図１６】図１６は、ＰＵＳＣＨ開始位置による基地局とのＣＯＴ共有指示方法の例を示す。
【図１７】図１７は、非免許帯域で、端末がＡＵＬ送信及びＳＵＬ送信を実行する動作を例示する。
【図１８】図１８は、提案方法＃１１による端末動作を示す。
【図１９】図１９は、提案方法＃１１によってコンテンションウィンドウ大きさを調整する例を示す。
【図２０】図２０は、本発明を実行する送信装置及び受信装置の構成要素を示すブロック図である。
【図２１】図２１は、送信装置内の信号処理モジュール構造の一例を示す。
【図２２】図２２は、送信装置１８１０内の信号処理モジュール構造の他の例を示す。
【図２３】図２３は、本発明の具現例に係る無線通信装置の一例を示す。
【発明を実施するための形態】
【００２５】
図１は、本発明が適用されることができる無線通信システムを例示する。これは、Ｅ-ＵＴＲＡＮ（Ｅｖｏｌｖｅｄ-ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ-Ａシステムと呼ばれることができる。
【００２６】
Ｅ-ＵＴＲＡＮは、端末１０（Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）を提供する基地局２０（Ｂａｓｅ  Ｓｔａｔｉｏｎ、ＢＳ）とを含む。端末１０は、固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定された支点（ｆｉｘｅｄ  ｓｔａｔｉｏｎ）をいい、ｅＮＢ（ｅｖｏｌｖｅｄ-ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２７】
基地局２０は、Ｘ２インタフェースを介して互いに接続されることができる。基地局２０は、Ｓ１インタフェースを介してＥＰＣ（Ｅｖｏｌｖｅｄ Ｐａｃｋｅｔ  Ｃｏｒｅ）３０、さらに詳細には、Ｓ１-ＭＭＥを介してＭＭＥ（Ｍｏｂｉｌｉｔｙ  Ｍａｎａｇｅｍｅｎｔ  Ｅｎｔｉｔｙ）とＳ１-Ｕを介してＳ-ＧＷ（Ｓｅｒｖｉｎｇ  Ｇａｔｅｗａｙ）と接続される。
【００２８】
ＥＰＣ３０は、ＭＭＥ、Ｓ-ＧＷ及びＰ-ＧＷ（Ｐａｃｋｅｔ  Ｄａｔａ  Ｎｅｔｗｏｒｋ-Ｇａｔｅｗａｙ）から構成される。ＭＭＥは、端末の接続情報または端末の能力に関する情報を有しており、このような情報は、端末の移動性管理に主に使用される。Ｓ-ＧＷは、Ｅ-ＵＴＲＡＮを終端点として有するゲートウェイであり、Ｐ-ＧＷは、ＰＤＮを終端点として有するゲートウェイである。
【００２９】
端末とネットワークとの間の無線インタフェースプロトコル（Ｒａｄｉｏ  Ｉｎｔｅｒｆａｃｅ  Ｐｒｏｔｏｃｏｌ）の階層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１階層）、Ｌ２（第２階層）、Ｌ３（第３階層）に区分されることができるが、この中で第１階層に属する物理階層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は、端末とネットワークとの間に無線資源を制御する役割を行う。このために、ＲＲＣ階層は、端末と基地局との間のＲＲＣメッセージを交換する。
【００３０】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。図３は、制御平面（ｃｏｎｔｒｏｌ  ｐｌａｎｅ）に対する無線プロトコル構造を示したブロック図である。ユーザ平面は、ユーザデータ送信のためのプロトコルスタック（ｐｒｏｔｏｃｏｌ  ｓｔａｃｋ）で、制御平面は、制御信号送信のためのプロトコルスタックである。
【００３１】
図２及び３を参照すると、物理階層（ＰＨＹ（ｐｈｙｓｉｃａｌ）  ｌａｙｅｒ）は、物理チャネル（ｐｈｙｓｉｃａｌ  Ｃｈａｎｎｅｌ）を利用して上位階層に情報送信サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とは送信チャネル（ｔｒａｎｓｐｏｒｔ  ｃｈａｎｎｅｌ）を介して接続されている。送信チャネルを介してＭＡＣ階層と物理階層との間にデータが移動する。送信チャネルは、無線インタフェースを介してデータがどのようにどんな特徴で送信されるかによって分類される。
【００３２】
互いに異なる物理階層の間、すなわち送信機と受信機の物理階層の間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されることができ、時間と周波数を無線資源として活用する。
【００３３】
ＭＡＣ階層の機能は、論理チャネルと送信チャネルとの間のマッピング及び論理チャネルに属するＭＡＣ  ＳＤＵ（ｓｅｒｖｉｃｅ  ｄａｔａ  ｕｎｉｔ）の送信チャネル上へ物理チャネルに提供される送信ブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３４】
ＲＬＣ階層の機能は、ＲＬＣ  ＳＤＵの接続（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３通りの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３５】
ＲＲＣ（Ｒａｄｉｏ  Ｒｅｓｏｕｒｃｅ  Ｃｏｎｔｒｏｌ）階層は、制御平面においてのみ定義される。ＲＲＣ階層は、無線ベアラの設定（ｃｏｎｆｉｇｕｒａｔｉｏｎ）、再設定（ｒｅ-ｃｏｎｆｉｇｕｒａｔｉｏｎ）及び解除（ｒｅｌｅａｓｅ）と関連して、論理チャネル、送信チャネル及び物理チャネルの制御を担当する。ＲＢは、端末とネットワークとの間のデータ伝達のために、第１階層（ＰＨＹ階層）及び第２階層（ＭＡＣ階層、ＲＬＣ階層、ＰＤＣＰ階層）により提供される論理的経路を意味する。
【００３６】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／整合性保護（ｉｎｔｅｇｒｉｔｙ  ｐｒｏｔｅｃｔｉｏｎ）を含む。
【００３７】
ＲＢが設定されるということは、特定サービスを提供するために無線プロトコル階層及びチャネルの特性を規定し、各々の具体的なパラメータ及び動作方法を設定する過程を意味する。ＲＢは、またＳＲＢ（Ｓｉｇｎａｌｉｎｇ  ＲＢ）とＤＲＢ（Ｄａｔａ  ＲＢ）の２通りに分けられることができる。ＳＲＢは、制御平面においてＲＲＣメッセージを送信する通路として使用され、ＤＲＢは、ユーザ平面においてユーザデータを送信する通路として使用される。
【００３８】
端末のＲＲＣ階層とＥ-ＵＴＲＡＮのＲＲＣ階層との間にＲＲＣ接続（ＲＲＣ  Ｃｏｎｎｅｃｔｉｏｎ）が確立されると、端末は、ＲＲＣ接続（ＲＲＣ  ｃｏｎｎｅｃｔｅｄ）状態にあるようになり、そうでない場合、ＲＲＣアイドル（ＲＲＣ  ｉｄｌｅ）状態にあるようになる。
【００３９】
ネットワークにおいて端末にデータを送信するダウンリンク送信チャネルには、システム情報を送信するＢＣＨ（Ｂｒｏａｄｃａｓｔ  Ｃｈａｎｎｅｌ）とその以外にユーザトラフィックまたは制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末においてネットワークにデータを送信するアップリンク送信チャネルには、初期制御メッセージを送信するＲＡＣＨ（Ｒａｎｄｏｍ  Ａｃｃｅｓｓ  Ｃｈａｎｎｅｌ）とそれ以外にユーザトラフィックまたは制御メッセージを送信するアップリンクＳＣＨ（Ｓｈａｒｅｄ  Ｃｈａｎｎｅｌ）がある。
【００４０】
送信チャネル上位にあり、送信チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４１】
物理チャネル（Ｐｈｙｓｉｃａｌ  Ｃｈａｎｎｅｌ）は、時間領域で複数のＯＦＤＭシンボルと周波数領域で複数の副搬送波（Ｓｕｂ-ｃａｒｒｉｅｒ）とから構成される。一つのサブフレーム（Ｓｕｂ-ｆｒａｍｅ）は、時間領域で複数のＯＦＤＭシンボル（Ｓｙｍｂｏｌ）から構成される。資源ブロックは、資源割り当て単位であって、複数のＯＦＤＭシンボルと複数の副搬送波（ｓｕｂ-ｃａｒｒｉｅｒ）から構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）すなわち、Ｌ１／Ｌ２制御チャネルのために該当サブフレームの特定ＯＦＤＭシンボル（例、第１番目のＯＦＤＭシンボル）の特定副搬送波を利用できる。ＴＴＩ（Ｔｒａｎｓｍｉｓｓｉｏｎ  Ｔｉｍｅ  Ｉｎｔｅｒｖａｌ）は、サブフレーム送信の単位時間である。
【００４２】
以下、新しい無線アクセス技術（ｎｅｗｒａｄｉｏ  ａｃｃｅｓｓ  ｔｅｃｈｎｏｌｏｇｙ：ｎｅｗＲＡＴ、ＮＲ）に対して説明する。
【００４３】
より多くの通信機器の大きい通信容量の要求に応じて、既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線アクセス技術の導入が論議されており、本発明では便宜上該当技術（ｔｅｃｈｎｏｌｏｇｙ）をｎｅｗ  ＲＡＴまたはＮＲという。
【００４４】
図４は、ＮＲが適用される次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４５】
図４を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図４ではｇＮＢのみを含む場合を例示する。ｇＮＢ及びｅＮＢは、相互間にＸｎインタフェースで連結されている。ｇＮＢ及びｅＮＢは、５世代コアネットワーク（５Ｇ  Ｃｏｒｅ  Ｎｅｔｗｏｒｋ：５ＧＣ）とＮＧインタフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインタフェースを介して連結され、ＵＰＦ（ｕｓｅｒ  ｐｌａｎｅ  ｆｕｎｃｔｉｏｎ）とはＮＧ−Ｕインタフェースを介して連結される。
【００４６】
図５は、ＮＧ−ＲＡＮと５ＧＣとの間の機能的分割を例示する。
【００４７】
図５を参照すると、ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレス割当、ＰＤＵセッション制御などの機能を提供することができる。
【００４８】
図６は、ＮＲで適用されることができるフレーム構造を例示する。
【００４９】
図６を参照すると、フレームは、１０ｍｓ（ｍｉｌｌｉｓｅｃｏｎｄ）で構成されることができ、１ｍｓで構成されたサブフレーム１０個を含むことができる。
【００５０】
サブフレーム内には副搬送波間隔（ｓｕｂｃａｒｒｉｅｒ  ｓｐａｃｉｎｇ）によって一つまたは複数のスロット（ｓｌｏｔ）が含まれることができる。
【００５１】
以下の表１は、副搬送波間隔設定（ｓｕｂｃａｒｒｉｅｒ  ｓｐａｃｉｎｇ  ｃｏｎｆｉｇｕｒａｔｉｏｎ）μを例示する。
【００５２】
【表１】
0006961798.tif 000002
【００５３】
以下の表２は、副搬送波間隔設定（ｓｕｂｃａｒｒｉｅｒ  ｓｐａｃｉｎｇｃｏｎ  ｆｉｇｕｒａｔｉｏｎ）μによって、フレーム内のスロット個数（Ｎｆｒａｍｅμｓｌｏｔ）、サブフレーム内のスロット個数（Ｎｓｕｂｆｒａｍｅμｓｌｏｔ）、スロット内のシンボル個数（Ｎｓｌｏｔｓｙｍｂ）などを例示する。
【００５４】
【表２】
0006961798.tif 000003
【００５５】
図６では、μ＝０、１、２に対して例示している。
【００５６】
ＰＤＣＣＨ（ｐｈｙｓｉｃａｌ  ｄｏｗｎｌｉｎｋ  ｃｏｎｔｒｏｌ  ｃｈａｎｎｅｌ）は、以下の表３のように一つまたはそれ以上のＣＣＥ（ｃｏｎｔｒｏｌ  ｃｈａｎｎｅｌ  ｅｌｅｍｅｎｔ）で構成されることができる。
【００５７】
【表３】
0006961798.tif 000004
【００５８】
即ち、ＰＤＣＣＨは、１、２、４、８または１６個のＣＣＥで構成されるリソースを介して送信されることができる。ここで、ＣＣＥは、６個のＲＥＧ（ｒｅｓｏｕｒｃｅ  ｅｌｅｍｅｎｔ  ｇｒｏｕｐ）で構成され、一つのＲＥＧは、周波数領域で一つのリソースブロック、時間領域で一つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成される。
【００５９】
一方、ＮＲでは、制御リソースセット（ｃｏｎｔｒｏｌ  ｒｅｓｏｕｒｃｅ  ｓｅｔ：ＣＯＲＥＳＥＴ）という新しい単位を導入することができる。端末は、ＣＯＲＥＳＥＴでＰＤＣＣＨを受信することができる。
【００６０】
図７は、ＣＯＲＥＳＥＴを例示する。
【００６１】
図７を参照すると、ＣＯＲＥＳＥＴは、周波数領域でＮＣＯＲＥＳＥＴＲＢ個のリソースブロックで構成され、時間領域でＮＣＯＲＥＳＥＴｓｙｍｂ∈｛１、２、３｝個のシンボルで構成されることができる。ＮＣＯＲＥＳＥＴＲＢ、ＮＣＯＲＥＳＥＴｓｙｍｂは、上位階層信号を介して基地局により提供されることができる。図７に示すように、ＣＯＲＥＳＥＴ内には複数のＣＣＥ（または、ＲＥＧ）が含まれることができる。
【００６２】
端末は、ＣＯＲＥＳＥＴ内で、１、２、４、８または１６個のＣＣＥを単位でＰＤＣＣＨ検出を試みることができる。ＰＤＣＣＨ検出を試みることができる一つまたは複数個のＣＣＥをＰＤＣＣＨ候補ということができる。
【００６３】
端末は、複数のＣＯＲＥＳＥＴの設定を受けることができる。
【００６４】
図８は、従来の制御領域とＮＲでのＣＯＲＥＳＥＴの相違点を示す。
【００６５】
図８を参照すると、従来の無線通信システム（例えば、ＬＴＥ／ＬＴＥ−Ａ）での制御領域８００は、基地局が使用するシステム帯域全体にわたって構成された。狭い帯域のみをサポートする一部端末（例えば、ｅＭＴＣ／ＮＢ−ＩｏＴ端末）を除いた全ての端末は、基地局が送信する制御情報を正確に受信／デコーディングするためには前記基地局のシステム帯域全体の無線信号が受信可能でなければならない。
【００６６】
それに対し、ＮＲでは、前述したＣＯＲＥＳＥＴを導入した。ＣＯＲＥＳＥＴ８０１、８０２、８０３は、端末が受信すべき制御情報のための無線リソースということができ、システム帯域全体の代わりに一部のみを使用することができる。基地局は、各端末にＣＯＲＥＳＥＴを割り当てることができ、割り当てたＣＯＲＥＳＥＴを介して制御情報を送信することができる。例えば、図８において、第１のＣＯＲＥＳＥＴ８０１は端末１に割り当て、第２のＣＯＲＥＳＥＴ８０２は端末２に割り当て、第３のＣＯＲＥＳＥＴ８０３は端末３に割り当てることができる。ＮＲでの端末は、システム帯域全体を必ず受信しなくても基地局の制御情報を受信することができる。
【００６７】
ＣＯＲＥＳＥＴには、端末特定的な制御情報を送信するための端末特定的なＣＯＲＥＳＥＴと全ての端末に共通的な制御情報を送信するための共通的なＣＯＲＥＳＥＴがある。
【００６８】
一方、ＮＲでは、応用（Ａｐｐｌｉｃａｔｉｏｎ）分野によっては高い信頼性（ｈｉｇｈ  ｒｅｌｉａｂｉｌｉｔｙ）を要求することができ、このような状況でダウンリンク制御チャネル（例えば、ｐｈｙｓｉｃａｌ  ｄｏｗｎｌｉｎｋ  ｃｏｎｔｒｏｌ  ｃｈａｎｎｅｌ：ＰＤＣＣＨ）を介して送信されるＤＣＩ（ｄｏｗｎｌｉｎｋ  ｃｏｎｔｒｏｌ  ｉｎｆｏｒｍａｔｉｏｎ）に対する目標ＢＬＥＲ（ｂｌｏｃｋ  ｅｒｒｏｒ  ｒａｔｅ）は、従来技術より著しく低くなることがある。このように高い信頼性を要求する要件（ｒｅｑｕｉｒｅｍｅｎｔ）を満たすための方法の一例として、ＤＣＩに含まれる内容（ｃｏｎｔｅｎｔｓ）量を減らしたり、そして／またはＤＣＩ送信時に使用するリソースの量を増加させたりすることができる。このとき、リソースは、時間領域でのリソース、周波数領域でのリソース、コード領域でのリソース、空間領域でのリソースのうち少なくとも一つを含むことができる。
【００６９】
ＮＲでは下記の技術／特徴が適用されることができる。
【００７０】
＜セルフコンテインドサブフレーム構造（Ｓｅｌｆ−ｃｏｎｔａｉｎｅｄ  ｓｕｂｆｒａｍｅ  ｓｔｒｕｃｔｕｒｅ）＞
【００７１】
図９は、新しい無線アクセス技術に対するフレーム構造の一例を示す。
【００７２】
ＮＲではレイテンシー（ｌａｔｅｎｃｙ）を最小化するための目的として、図９のように、一つのＴＴＩ内に、制御チャネルとデータチャネルが時分割多重化（Ｔｉｍｅ  Ｄｉｖｉｓｉｏｎ  Ｍｕｌｔｉｐｌｅｘｉｎｇ：ＴＤＭ）される構造がフレーム構造（ｆｒａｍｅ  ｓｔｒｕｃｔｕｒｅ）の一つとして考慮されることができる。
【００７３】
図９において、斜線領域は、ダウンリンク制御（ｄｏｗｎｌｉｎｋ  ｃｏｎｔｒｏｌ）領域を示し、黒色部分はアップリンク制御（ｕｐｌｉｎｋ  ｃｏｎｔｒｏｌ）領域を示す。表示がない領域は、ダウンリンクデータ（ｄｏｗｎｌｉｎｋ  ｄａｔａ；ＤＬ  ｄａｔａ）送信のために使われることもでき、アップリンクデータ（ｕｐｌｉｎｋ  ｄａｔａ；ＵＬ  ｄａｔａ）送信のために使われることもできる。このような構造の特徴は、一個のサブフレーム（ｓｕｂｆｒａｍｅ）内でダウンリンク（ＤＬ）送信とアップリンク（ｕｐｌｉｎｋ；ＵＬ）送信が順次に進行され、サブフレーム（ｓｕｂｆｒａｍｅ）内でＤＬ  ｄａｔａを送り、ＵＬ  ＡＣＫ／ＮＡＣＫ（Ａｃｋｎｏｗｌｅｄｇｅｍｅｎｔ／Ｎｏｔ−ａｃｋｎｏｗｌｅｄｇｅｍｅｎｔ）も受けることができる。結果的に、データ送信エラー発生時にデータ再送信までかかる時間を減らすようになり、それによって、最終データ伝達のレイテンシー（ｌａｔｅｎｃｙ）を最小化することができる。
【００７４】
このようなデータ及び制御領域がＴＤＭされたサブフレーム構造（ｄａｔａ  ａｎｄ  ｃｏｎｔｒｏｌ  ＴＤＭｅｄ  ｓｕｂｆｒａｍｅ  ｓｔｒｕｃｔｕｒｅ）で、基地局と端末が送信モードから受信モードへの転換過程または受信モードから送信モードへの転換過程のためのタイプギャップ（ｔｉｍｅ  ｇａｐ）が必要である。そのために、セルフコンテインドサブフレーム構造で、ＤＬからＵＬへ転換される時点の一部ＯＦＤＭシンボルが保護区間（ｇｕａｒｄ  ｐｅｒｉｏｄ：ＧＰ）に設定されることができる。
【００７５】
＜アナログビームフォーミング＃１（Ａｎａｌｏｇ  ｂｅａｍｆｏｒｍｉｎｇ＃１）＞
【００７６】
ミリ波（Ｍｉｌｌｉｍｅｔｅｒ  Ｗａｖｅ：ｍｍＷ）では波長が短くなって同一面積に多数個のアンテナエレメント（ｅｌｅｍｅｎｔ）の設置が可能になる。即ち、３０ＧＨｚ帯域における波長は１ｃｍであって、５ｂｙ５ｃｍのパネル（ｐａｎｅｌ）に０．５波長（ｌａｍｂｄａ）間隔に２−次元（ｄｉｍｅｎｓｉｏｎ）配列形態で総１００個のアンテナエレメント（ｅｌｅｍｅｎｔ）設置が可能である。したがって、ｍｍＷでは多数個のアンテナエレメント（ｅｌｅｍｅｎｔ）を使用してビームフォーミング（ｂｅａｍｆｏｒｍｉｎｇ：ＢＦ）利得を高めてカバレッジを増加させ、または処理量（ｔｈｒｏｕｇｈｐｕｔ）を高めようとする。
【００７７】
この場合、アンテナエレメント（ｅｌｅｍｅｎｔ）別に送信パワー及び位相調節が可能なようにトランシーバユニット（Ｔｒａｎｓｃｅｉｖｅｒ  Ｕｎｉｔ：ＴＸＲＵ）を有すると、周波数リソース別に独立的なビームフォーミング（ｂｅａｍｆｏｒｍｉｎｇ）が可能である。しかし、１００余個のアンテナエレメント（ｅｌｅｍｅｎｔ）の全てにＴＸＲＵを設置するには価格側面で実効性が落ちる問題がある。したがって、一つのＴＸＲＵに多数個のアンテナエレメント（ｅｌｅｍｅｎｔ）をマッピング（ｍａｐｐｉｎｇ）してアナログフェーズシフタ（ａｎａｌｏｇ  ｐｈａｓｅ  ｓｈｉｆｔｅｒ）でビーム（ｂｅａｍ）の方向を調節する方式が考慮されている。このようなアナログビームフォーミング（ａｎａｌｏｇ  ｂｅａｍｆｏｒｍｉｎｇ）方式は、全帯域において一つのビーム（ｂｅａｍ）方向のみを作ることができて周波数選択的なビームフォーミング（ｂｅａｍｆｏｒｍｉｎｇ）をすることができないという短所を有する。
【００７８】
デジタルビームフォーミング（Ｄｉｇｉｔａｌ  ＢＦ）とアナログビームフォーミング（ａｎａｌｏｇ  ＢＦ）の中間形態でＱ個のアンテナエレメント（ｅｌｅｍｅｎｔ）より少ない個数であるＢ個のＴＸＲＵを有するハイブリッドビームフォーミング（ｈｙｂｒｉｄ  ＢＦ）を考慮することができる。この場合、Ｂ個のＴＸＲＵとＱ個のアンテナエレメント（ｅｌｅｍｅｎｔ）の連結方式によって異なるが、同時に送信できるビームの方向はＢ個以下に制限されるようになる。
【００７９】
＜アナログビームフォーミング＃２（Ａｎａｌｏｇ  ｂｅａｍｆｏｒｍｉｎｇ＃２）＞
【００８０】
ＮＲシステムでは多数のアンテナが使われる場合、デジタルビームフォーミングとアナログビームフォーミングを結合したハイブリッドビームフォーミング技法が台頭されている。このとき、アナログビームフォーミング（または、ＲＦビームフォーミング）は、ＲＦ端でプリコーディング（Ｐｒｅｃｏｄｉｎｇ）（または、コンバイニング（Ｃｏｍｂｉｎｉｎｇ））を実行し、それによって、ＲＦチェイン数とＤ／Ａ（または、Ａ／Ｄ）コンバータ数を減らしてデジタルビームフォーミングに近接する性能を出すことができるという長所がある。便宜上、前記ハイブリッドビームフォーミング構造は、Ｎ個のＴＸＲＵとＭ個の物理的アンテナで表現されることができる。そのとき、送信端で送信するＬ個のデータ階層（ｄａｔａ  ｌａｙｅｒ）に対するデジタルビームフォーミングは、ＮｂｙＬ行列で表現されることができ、以後変換されたＮ個のデジタル信号（ｄｉｇｉｔａｌ  ｓｉｇｎａｌ）は、ＴＸＲＵを経てアナログ信号（ａｎａｌｏｇ  ｓｉｇｎａｌ）に変換された後、ＭｂｙＮ行列で表現されるアナログビームフォーミングが適用される。
【００８１】
図１０は、前記ＴＸＲＵ及び物理的アンテナ観点でハイブリッドビームフォーミング（Ｈｙｂｒｉｄ  ｂｅａｍｆｏｒｍｉｎｇ）構造を抽象的に図式化したものである。
【００８２】
図１０において、デジタルビーム（ｄｉｇｉｔａｌ  ｂｅａｍ）の個数はＬ個であり、アナログビーム（ａｎａｌｏｇ  ｂｅａｍ）の個数はＮ個である。さらに、ＮＲシステムでは基地局がアナログビームフォーミングをシンボル単位で変更できるように設計して特定の地域に位置した端末にもっと効率的なビームフォーミングをサポートする方向を考慮している。さらに、図７において、特定Ｎ個のＴＸＲＵとＭ個のＲＦアンテナを一つのアンテナパネル（ｐａｎｅｌ）に定義する時、前記ＮＲシステムでは互いに独立的なハイブリッドビームフォーミングが適用可能な複数のアンテナパネルを導入する方案まで考慮されている。
【００８３】
前記のように基地局が複数のアナログビームを活用する場合、端末別に信号受信に有利なアナログビームが異なるため、少なくとも同期化信号（ｓｙｎｃｈｒｏｎｉｚａｔｉｏｎ  ｓｉｇｎａｌ）、システム情報（ｓｙｓｔｅｍ  ｉｎｆｏｒｍａｔｉｏｎ）、ページング（ｐａｇｉｎｇ）などに対しては特定サブフレームで基地局が適用する複数アナログビームをシンボル別に変えて全ての端末が受信機会を有することができるようにするビームスイーピング（ｂｅａｍ  ｓｗｅｅｐｉｎｇ）動作が考慮されている。
【００８４】
図１１は、ダウンリンク（Ｄｏｗｎｌｉｎｋ：ＤＬ）送信過程で同期化シグナル（ｓｙｎｃｈｒｏｎｉｚａｔｉｏｎ  ｓｉｇｎａｌ）とシステム情報（ｓｙｓｔｅｍ  ｉｎｆｏｒｍａｔｉｏｎ）に対して前記ビームスイーピング（ｂｅａｍ  ｓｗｅｅｐｉｎｇ）動作を図式化したものである。
【００８５】
図１１において、ＮＲシステムのシステム情報がブロードキャスティング（Ｂｒｏａｄｃａｓｔｉｎｇ）方式に送信される物理的リソース（または、物理チャネル）をｘＰＢＣＨ（ｐｈｙｓｉｃａｌ  ｂｒｏａｄｃａｓｔ  ｃｈａｎｎｅｌ）という。このとき、一シンボル内で互いに異なるアンテナパネルに属するアナログビームは、同時送信されることができ、アナログビーム別チャネルを測定するために図８に図式化されたように（特定アンテナパネルに対応される）単一アナログビームが適用されて送信される参照信号（ｒｅｆｅｒｅｎｃｅ  ｓｉｇｎａｌ：ＲＳ）であるビーム参照信号（Ｂｅａｍ  ＲＳ：ＢＲＳ）を導入する方案が論議されている。前記ＢＲＳは、複数のアンテナポートに対して定義されることができ、ＢＲＳの各アンテナポートは、単一アナログビームに対応されることができる。このとき、ＢＲＳとは違って、同期化信号（Ｓｙｎｃｈｒｏｎｉｚａｔｉｏｎ  ｓｉｇｎａｌ）またはｘＰＢＣＨは、任意の端末がよく受信することができるようにアナログビームグループ（ａｎａｌｏｇ  ｂｅａｍ  ｇｒｏｕｐ）内の全てのアナログビームが適用されて送信されることができる。
【００８６】
＜帯域幅パート（ｂａｎｄｗｉｄｔｈ  ｐａｒｔ：ＢＷＰ）＞
【００８７】
ＮＲシステムでは一つのコンポーネントキャリア（ｃｏｍｐｏｎｅｎｔ  ｃａｒｒｉｅｒ：ＣＣ）当たり最大４００メガヘルツ（ｍｅｇａｈｅｒｔｚ：ＭＨｚ）までサポートされることができる。このような広帯域（ｗｉｄｅｂａｎｄ）ＣＣで動作する端末が常にＣＣ全体に対するＲＦをオンにしたまま動作すると、端末バッテリ消耗が大きくなる。または、一つの広帯域ＣＣ内に動作する多様なユースケース（ｕｓｅ  ｃａｓｅ）（例、ｅＭＢＢ、ＵＲＬＬＣ、ｍＭＴＣ等）を考慮する時、該当ＣＣ内に周波数帯域別に互いに異なるヌメロロジー（ｎｕｍｅｒｏｌｏｇｙ）（例、副搬送波間隔（ｓｕｂ−ｃａｒｒｉｅｒ  ｓｐａｃｉｎｇ：ＳＣＳ））がサポートされることができる。または、端末別に最大帯域幅に対する能力（ｃａｐａｂｉｌｉｔｙ）が異なる場合がある。これを考慮して、基地局は、広帯域ＣＣの全体帯域幅でない一部帯域幅でのみ動作するように端末に指示することができ、該当一部帯域幅を便宜上帯域幅パート（ｂａｎｄｗｉｄｔｈ  ｐａｒｔ：ＢＷＰ）に定義する。ＢＷＰは、周波数軸上で連続したリソースブロック（ｒｅｓｏｕｒｃｅ  ｂｌｏｃｋ：ＲＢ）で構成されることができ、一つのヌメロロジー（例、副搬送波間隔、ＣＰ（ｃｙｃｌｉｃ  ｐｒｅｆｉｘ）長さ、スロット／ミニ−スロット（ｍｉｎｉ−ｓｌｏｔ）期間（ｄｕｒａｔｉｏｎ）等）に対応されることができる。
【００８８】
一方、基地局は、端末に設定された一つのＣＣ内でも多数のＢＷＰを設定することができる。一例として、ＰＤＣＣＨモニタリングスロット（ＰＤＣＣＨ  ｍｏｎｉｔｏｒｉｎｇ  ｓｌｏｔ）では相対的に小さい周波数領域を占めるＢＷＰを設定し、ＰＤＣＣＨで指示するＰＤＳＣＨは、それより大きいＢＷＰ上にスケジューリングされることができる。または、特定ＢＷＰに端末が集中する場合、負荷バランシング（ｌｏａｄ  ｂａｌａｎｃｉｎｇ）のために、一部端末を他のＢＷＰに設定できる。または、隣接セル間の周波数領域インター−セル干渉解除（ｆｒｅｑｕｅｎｃｙ  ｄｏｍａｉｎ  ｉｎｔｅｒ−ｃｅｌｌ  ｉｎｔｅｒｆｅｒｅｎｃｅ  ｃａｎｃｅｌｌａｔｉｏｎ）などを考慮して全体帯域幅のうち中央の一部スペクトラムを排除して両側のＢＷＰを同じスロット内でも設定できる。即ち、基地局は、広帯域（ｗｉｄｅｂａｎｄ）ＣＣと関連（ａｓｓｏｃｉａｔｉｏｎ）した端末に少なくとも一つのＤＬ／ＵＬ  ＢＷＰを設定することができ、特定時点に設定されたＤＬ／ＵＬ  ＢＷＰ（ｓ）のうち少なくとも一つのＤＬ／ＵＬ  ＢＷＰを（Ｌ１シグナリングまたはＭＡＣ  ＣＥまたはＲＲＣシグナリングなどにより）活性化（ａｃｔｉｖａｔｉｏｎ）させることができ、他の設定されたＤＬ／ＵＬ  ＢＷＰにスイッチングが（Ｌ１シグナリングまたはＭＡＣ  ＣＥまたはＲＲＣシグナリングなどにより）指示されることができ、またはタイマに基づいてタイマ値が満了されると、決められたＤＬ／ＵＬ  ＢＷＰにスイッチングされることもできる。このとき、活性化されたＤＬ／ＵＬ  ＢＷＰを活性（ａｃｔｉｖｅ）ＤＬ／ＵＬ  ＢＷＰに定義する。しかし、端末が初期アクセス（ｉｎｉｔｉａｌ  ａｃｃｅｓｓ）過程にあり、またはＲＲＣ接続がセットアップ（ｓｅｔｕｐ）される前などの状況ではＤＬ／ＵＬ  ＢＷＰに対する設定を受信することができない。このような状況で端末が仮定するＤＬ／ＵＬ  ＢＷＰは、初期活性（ｉｎｉｔｉａｌ  ａｃｔｉｖｅ）ＤＬ／ＵＬ  ＢＷＰと定義する。
【００８９】
以下、ＬＡＡ（Ｌｉｃｅｎｓｅｄ−Ａｓｓｉｓｔｅｄ  Ａｃｃｅｓｓ）によるチャネルアクセス手順（ｃｈａｎｎｅｌ  ａｃｃｅｓｓ  ｐｒｏｃｅｄｕｒｅ）に対して説明する。
【００９０】
まず、ダウンリンクチャネルアクセス手順に対して説明する。
【００９１】
ＬＡＡ  Ｓｃｅｌｌ（ら）で動作するｅＮＢは、ＬＡＡ  Ｓｃｅｌｌ（ら）送信（ら）が実行されるチャネル（ら）に接続するために、以下のチャネルアクセス手順を実行しなければならない。
【００９２】
以下、ＰＤＳＣＨ／ＰＤＣＣＨ／ＥＰＤＣＣＨを含む送信（ら）に対するチャネルアクセス手順に対して説明する。
【００９３】
まず、遅延期間（ｄｅｆｅｒ  ｄｕｒａｔｉｏｎ）Ｔｄのスロット期間の間にアイドル（ｉｄｌｅ）状態にあるチャネルをセンシング（ｓｅｎｓｉｎｇ）すると、及びステップ４でカウンタＮが０である場合、ｅＮＢは、ＬＡＡ  Ｓｃｅｌｌ（ら）送信（ら）が実行される搬送波上でＰＤＳＣＨ／ＰＤＣＣＨ／ＥＰＤＣＣＨを含んで送信を送信することができる。前記カウンタＮは、下記のステップによって追加的なスロット期間（ら）に対するチャネルをセンシングすることで調整される。
【００９４】
１）Ｎ＝Ｎｉｎｉｔに設定する。ここで、Ｎｉｎｉｔは、０とＣＷｐとの間に均一に分布した任意の数字である。以後、ステップ４に進行する。
【００９５】
２）もし、Ｎ＞０であり、ｅＮＢが前記カウンタを減少することを選択する場合、Ｎ＝Ｎ−１に設定する。
【００９６】
３）追加的なスロット期間（ｓｌｏｔ  ｄｕｒａｔｉｏｎ）に対するチャネルをセンシングし、もし、前記追加的なスロット期間がアイドル（ｉｄｌｅ）である場合、ステップ４に進行する。そうでない場合、ステップ５に進行する。
【００９７】
４）もし、Ｎ＝０である場合、中止して、そうでない場合、ステップ２に進行する。
【００９８】
５）混雑スロット（ｂｕｓｙ  ｓｌｏｔ）が追加的な遅延期間Ｔｄ以内に検出され、または前記追加的な遅延期間Ｔｄの全てのスロットがアイドルであると検知される時まで前記チャネルをセンシングする。
【００９９】
６）もし、前記チャネルが前記追加的な遅延期間Ｔｄの全てのスロット期間の間にアイドルであるとセンシングされる場合、ステップ４に進行する。そうでない場合、ステップ５に進行する。
【０１００】
もし、ｅＮＢが前記手順のステップ４以後にＬＡＡ  Ｓｃｅｌｌ（ら）送信（ら）が実行される搬送波上でＰＤＳＣＨ／ＰＤＣＣＨ／ＥＰＤＣＣＨを含む送信を送信しない場合、ｅＮＢがＰＤＳＣＨ／ＰＤＣＣＨ／ＥＰＤＣＣＨを送信する準備ができると、前記チャネルが少なくともスロット期間Ｔｓｌの間にアイドル（ｉｄｌｅ）であり、この送信直前の遅延期間Ｔｄの全てのスロット期間の間にチャネルがアイドルであると検知されると、前記ｅＮＢは、前記搬送波上でＰＤＳＣＨ／ＰＤＣＣＨ／ＥＰＤＣＣＨを含む送信を送信することができる。ｅＮＢが送信する準備ができた以後、最初に前記チャネルをセンシングする時、前記チャネルがスロット期間Ｔｓｌ内でアイドルであるとセンシングすることができない場合、またはこのような予定された（ｉｎｔｅｎｄｅｄ）送信直前遅延期間Ｔｄの任意のスロット期間の間に前記チャネルがアイドルでないと検知された場合、ｅＮＢは、遅延期間Ｔｄのスロット期間の間に前記チャネルがアイドルであるとセンシングした以後、ステップ１に進行する。
【０１０１】
前記遅延期間Ｔｄは、連続的なスロット期間ｍｐ直後に持続時間（ｄｕｒａｔｉｏｎ）Ｔｆ＝１６ｕｓで構成される。ここで、各スロット期間は、Ｔｓｌ＝９ｕｓであり、Ｔｆは、Ｔｆの開始地点でアイドルスロット期間（ｉｄｌｅ  ｓｌｏｔ  ｄｕｒａｔｉｏｎ）Ｔｓｌを含む。
【０１０２】
スロット期間Ｔｓｌは、もし、前記スロット期間の間にｅＮＢが前記チャネルをセンシングし、前記スロット期間内に少なくとも４ｕｓに対してｅＮＢにより検知された電力がエネルギー検知閾値ＸＴｈｒｅｓｈより小さい場合、アイドル（ｉｄｌｅ、即ち、使用可能を意味することができる）であると考慮される。そうでない場合、前記スロット期間Ｔｓｌは、混雑（ｂｕｓｙ、使用可能でないことを意味することができる）すると考慮される。
【０１０３】
ＣＷｐ（ＣＷｍｉｎ、ｐ≦ＣＷｐ≦ＣＷｍａｘ、ｐ）は、コンテンションウィンドウ（ｃｏｎｔｅｎｔｉｏｎ  ｗｉｎｄｏｗ）である。ＣＷｐ適用は、コンテンションウィンドウ適用手順で説明する。
【０１０４】
ＣＷｍｉｎ、ｐ及びＣＷｍａｘ、ｐは、前述した手順のステップ１以前に選択される。
【０１０５】
ｍｐ、ＣＷｍｉｎ、ｐ、及びＣＷｍａｘ、ｐは、表４に示すように、ｅＮＢ送信と関連したチャネルアクセス優先順位クラス（ｃｈａｎｎｅｌ  ａｃｃｅｓｓ  ｐｒｉｏｒｉｔｙ  ｃｌａｓｓ）に基づいている。
【０１０６】
もし、前記手順でＮ＞０である場合、ｅＮＢが、ＰＤＳＣＨ／ＰＤＣＣＨ／ＥＰＤＣＣＨが含まれない発見信号送信（ら）を送信する場合、前記ｅＮＢは、発見信号送信と重なるスロット期間（ら）の間にＮを減少させてはならない。
【０１０７】
ｅＮＢは、表４で与えられるＴｍｃｏｔ、ｐを超過する期間に対してＬＡＡ  Ｓｃｅｌｌ（ら）送信（ら）が実行される搬送波上で持続的に送信してはならない。
【０１０８】
ｐ＝３及びｐ＝４に対して、もし、搬送波を共有する任意の他の技術の不在（ａｂｓｅｎｃｅ）が長期的に（例、規制等級（ｌｅｖｅｌ  ｏｆ  ｒｅｇｕｌａｔｉｏｎ）により）保障されることができる場合、Ｔｍｃｏｔ、ｐ＝１０ｍｓであり、そうでない場合、Ｔｍｃｏｔ、ｐ＝８ｍｓである。
【０１０９】
表４は、チャネルアクセス優先順位クラスに対する表である。
【０１１０】
【表４】
0006961798.tif 000005
【０１１１】
以下、ＰＤＳＣＨを含まずに、発見信号送信（ら）を含む送信に対するチャネルアクセス手順に対して説明する。
【０１１２】
ｅＮＢは、チャネルが少なくともセンシング間隔Ｔｄｒｓ＝２５ｕｓに対してアイドルであるとセンシングした直後に、もし、送信の期間が１ｍｓより小さい場合、発見信号を含み、ＰＤＳＣＨを含まない送信をＬＡＡ  Ｓｃｅｌｌ（ら）送信（ら）が実行される搬送波上で送信できる。Ｔｄｒｓは、一つのスロット期間Ｔｓｌ＝９ｕｓ直後のＴｆ＝１６ｕｓからなり、Ｔｆは、Ｔｆの開始地点でアイドルスロット期間Ｔｓｌを含む。前記チャネルは、もし、Ｔｄｒｓのスロット持続期間の間にアイドルであるとセンシングされる場合、Ｔｄｒｓに対してアイドルであると考慮される。
【０１１３】
以下、コンテンションウィンドウ適用手順に対して説明する。
【０１１４】
もし、ｅＮＢが搬送波上でチャネルアクセス優先順位クラスｐと関連したＰＤＳＣＨを含む送信を送信した場合、前記ｅＮＢは、コンテンションウィンドウ値ＣＷｐを維持し、次のステップを利用した送信に対して前述した手順のステップ１以前にＣＷｐを適用する。
【０１１５】
１）全ての優先順位等級ｐ∈｛１、２、３、４｝に対してＣＷｐ＝ＣＷｍｉｎ、ｐに設定する。
【０１１６】
２）もし、基準（ｒｅｆｅｒｅｎｃｅ）サブフレームｋ内でＰＤＳＣＨ送信（ら）に対応するＨＡＲＱ−ＡＣＫ値の少なくともＺ＝８０％がＮＡＣＫに決定された場合、全ての優先順位等級ｐ∈｛１、２、３、４｝に対してＣＷｐをその次に許容された高い値に増加させてステップ２に留まる。そうでない場合、ステップ１に進行する。
【０１１７】
基準サブフレームｋは、少なくとも一部ＨＡＲＱ−ＡＣＫフィードバックが利用可能であると予想されるｅＮＢにより構成された搬送波上での最も最近の送信の開始サブフレームである。
【０１１８】
ｅＮＢは、与えられた基準サブフレームｋに基づいて全ての優先順位等級ｐ∈｛１、２、３、４｝に対するＣＷｐの値を一回のみ調整しなければならない。
【０１１９】
もし、ＣＷｐ＝ＣＷｍａｘ、ｐである場合、ＣＷｐ適用に対するその次に高い許容された値は、ＣＷｍａｘ、ｐである。
【０１２０】
Ｚを決定する時、
【０１２１】
−もし、ＨＡＲＱ−ＡＣＫフィードバックが利用可能なｅＮＢ送信（ら）が、サブフレームｋの２番目のスロットから始める場合、サブフレームｋ＋１内のＰＤＳＣＨ送信（ら）に対応するＨＡＲＱ−ＡＣＫ値も、サブフレームｋ内のＰＤＳＣＨ送信（ら）に対応するＨＡＲＱ−ＡＣＫ値に加えて利用されることができる。
【０１２２】
−もし、ＨＡＲＱ−ＡＣＫ値が同じＬＡＡ  ＳＣｅｌｌ上で送信される（Ｅ）ＰＤＣＣＨにより割り当てられたＬＡＡ  ＳＣｅｌｌ上でＰＤＳＣＨ送信（ら）に対応する場合、
【０１２３】
−−もし、ｅＮＢによりＰＤＳＣＨ送信に対してＨＡＲＱ−ＡＣＫフィードバックが検出されない場合、またはｅＮＢが‘ＤＴＸ’、‘ＮＡＣＫ／ＤＴＸ’、または‘任意（ａｎｙ）’状態であることを検出する場合、ＮＡＣＫに計算される。
【０１２４】
−もし、ＨＡＲＱ−ＡＣＫ値が他のサービングセル上で送信された（Ｅ）ＰＤＣＣＨにより割り当てられたＬＡＡ  ＳＣｅｌｌ上でＰＤＳＣＨ送信（ら）に対応する場合、
【０１２５】
−−もし、ＰＤＳＣＨ送信に対するＨＡＲＱ−ＡＣＫフィードバックがｅＮＢにより検出される場合、‘ＮＡＣＫ／ＤＴＸ’、または‘任意（ａｎｙ）’状態はＮＡＣＫに計算され、‘ＤＴＸ’状態は無視される。
【０１２６】
−−もし、ｅＮＢによりＰＤＳＣＨ送信に対するＨＡＲＱ−ＡＣＫフィードバックが検出されない場合、
【０１２７】
−−−もし、チャネル選択を使用するＰＵＣＣＨフォーマット１ｂが端末により使われることと期待される場合、‘送信無い（ｎｏ  ｔｒａｎｓｍｉｓｓｉｏｎ）’に対応する‘ＮＡＣＫ／ＤＴＸ’状態はＮＡＣＫに計算され、‘送信無い（ｎｏ  ｔｒａｎｓｍｉｓｓｉｏｎ）’に対応する‘ＤＴＸ’状態は無視される。そうでない場合、ＰＤＳＣＨ送信に対するＨＡＲＱ−ＡＣＫは無視される。
【０１２８】
−もし、ＰＤＳＣＨ送信が二つのコードワードを有する場合、各コードワードのＨＡＲＱ−ＡＣＫ値は、分離されて考慮される。
【０１２９】
−Ｍ個のサブフレームにわたるバンドリングされたＨＡＲＱ−ＡＣＫは、Ｍ個のＨＡＲＱ−ＡＣＫ応答として考慮される。
【０１３０】
もし、ｅＮＢがＤＣＩフォーマット０Ａ／０Ｂ／４Ａ／４Ｂを有するＰＤＣＣＨ／ＥＰＤＣＣＨを含み、時間ｔ０から始めるチャネル上でチャネルアクセス優先順位クラスｐと関連したＰＤＳＣＨを含まない送信を送信する場合、ｅＮＢは、コンテンションウィンドウ値ＣＷｐを維持し、次のステップを利用する送信に対して前述した手順のステップ１以前ＣＷｐを適用する。
【０１３１】
１）全ての優先順位等級ｐ∈｛１、２、３、４｝に対してＣＷｐ＝ＣＷｍｉｎ、ｐに設定する。
【０１３２】
２）ｔ０からｔ０＋ＴＣＯまでの時間間隔内でタイプ（ｔｙｐｅ）２チャネルアクセス手順を利用してｅＮＢによりスケジューリングされたアップリンク（ＵＬ）トランスポートブロックの１０％未満のトランスポートブロックが成功的に受信された場合、全ての優先順位等級ｐ∈｛１、２、３、４｝に対してＣＷｐをその次に高い許容された値に増加させてステップ２に留まる。そうでない場合、ステップ１に進行する。
【０１３３】
もし、Ｎｉｎｉｔの生成に対してＣＷｐ＝ＣＷｍａｘ、ｐが連続的にＫ回使われる場合、ＣＷｐは、Ｎｉｎｉｔの生成に対してＣＷｐ＝ＣＷｍａｘ、ｐが連続的にＫ回使われた優先順位等級ｐに対してのみＣＷｍｉｎ、ｐにリセットされる。Ｋは、ｅＮＢにより各優先順位等級ｐ∈｛１、２、３、４｝に対して｛１、２、...、８｝の値の集合から選択される。
【０１３４】
以下、エネルギー検知閾値適応手順に対して説明する。
【０１３５】
ＬＡＡ  Ｓｃｅｌｌ（ら）送信（ら）が実行される搬送波に接続中であるｅＮＢは、エネルギー検知閾値（ＸＴｈｒｅｓｈ）が最大エネルギー検知閾値ＸＴｈｒｅｓｈ＿ｍａｘ以下になるように設定しなければならない。
【０１３６】
ＸＴｈｒｅｓｈ＿ｍａｘは、後述するように決定される。
【０１３７】
−もし、搬送波を共有する他の技術の不在が長期的に（例、規制等級により）保障可能である場合、
【０１３８】
−−ＸＴｈｒｅｓｈ＿ｍａｘ＝ｍｉｎ｛Ｔｍａｘ＋１０ｄＢ、Ｘｒ｝である。
【０１３９】
−−−Ｘｒは、規制要求事項が定義された場合、それにより定義されたｄＢ単位の最大エネルギー検知閾値であり、そうでない場合、Ｘｒ＝Ｔｍａｘ＋１０ｄＢである。
【０１４０】
−そうでない場合、
【０１４１】
−−ＸＴｈｒｅｓｈ＿ｍａｘ＝ｍａｘ｛−７２＋１０＊ｌｏｇ１０（ＢＷＭＨｚ／２０Ｍｈｚ）ｄＢｍ、ｍｉｎ｛Ｔｍａｘ、Ｔｍａｘ−ＴＡ＋（ＰＨ＋１０＊ｌｏｇ１０（ＢＷＭＨｚ／２０ＭＨｚ）−ＰＴＸ）｝｝である。
【０１４２】
−ここで、
【０１４３】
−−ＰＤＳＣＨを含む送信（ら）に対してＴＡ＝１０ｄＢである。
【０１４４】
−−ＰＤＳＣＨを含まずに発見信号送信（ら）を含む送信に対してＴＡ＝５ｄＢである。
【０１４５】
−−ＰＨ＝２３ｄＢｍである。
【０１４６】
−−ＰＴＸは、搬送波に対するｄＢｍ単位で設定された最大ｅＮＢアウトプット電力（ｔｈｅ  ｓｅｔ  ｍａｘｉｍｕｍ  ｅＮＢ  ｏｕｔｐｕｔ  ｐｏｗｅｒ）である。
【０１４７】
−−−ｅＮＢは、単一搬送波または多重搬送波送信が使われるかどうかにかかわらず単一搬送波に対して設定された最大送信電力を利用する。
【０１４８】
−−Ｔｍａｘ（ｄＢｍ）＝１０＊ｌｏｇ１０（３．１６２２８＊１０−８（ｍＷ／ＭＨｚ）＊ＢＷＭＨｚ（ＭＨｚ））である。
【０１４９】
−−ＢＷＭＨｚは、ＭＨｚ単位の単一搬送波帯域幅である。
【０１５０】
以下、複数の搬送波上での送信（ら）に対するチャネルアクセス手順に対して説明する。
【０１５１】
ｅＮＢは、後述するタイプ（ｔｙｐｅ）ＡまたはタイプＢ手順のうち一つによって、ＬＡＡ  Ｓｃｅｌｌ（ら）送信（ら）が実行される複数の搬送波に接続できる。
【０１５２】
以下、タイプＡマルチ−搬送波接続手順に対して説明する。
【０１５３】
ｅＮＢは、前述したＰＤＳＣＨ／ＰＤＣＣＨ／ＥＰＤＣＣＨを含む送信（ら）に対するチャネルアクセス手順によって各搬送波ｃｉ∈Ｃ上でチャネルアクセスを実行しなければならない。ここで、Ｃは、ｅＮＢが送信を意図する搬送波の集合であり、ｉ＝０、１、...、ｑ−１であり、ｑは、ｅＮＢが送信を意図する搬送波の個数である。
【０１５４】
前述したＰＤＳＣＨ／ＰＤＣＣＨ／ＥＰＤＣＣＨを含む送信（ら）に対するチャネルアクセス手順で説明したカウンタＮは、各搬送波ｃｉ（ｃ＿ｉ）に対して決定され、Ｎｃ＿ｉで表示される。Ｎｃ＿ｉは、以下のタイプＡ１またはタイプＡ２で維持される。
【０１５５】
以下、タイプＡ１に対して説明する。
【０１５６】
前述したＰＤＳＣＨ／ＰＤＣＣＨ／ＥＰＤＣＣＨを含む送信（ら）に対するチャネルアクセス手順で説明したカウンタＮは、各搬送波ｃｉに対して独立的に決定され、Ｎｃ＿ｉで表示される。
【０１５７】
もし、搬送波を共有する他の技術の不在が長期的に（例、規制等級により）保障されることができない場合、ｅＮＢが任意の一つの搬送波ｃｊ∈Ｃ上で送信を中止する時、各々の搬送波ｃｉ≠ｃｊに対して、ｅＮＢは、アイドルスロット（ｉｄｌｅ  ｓｌｏｔ）が４Ｔｓｌの期間の間に待った以後にまたはＮｃ＿ｉを再初期化した以後に検知される場合にＮｃ＿ｉ減少を再開することができる。
【０１５８】
以下、タイプＡ２に対して説明する。
【０１５９】
前述したＰＤＳＣＨ／ＰＤＣＣＨ／ＥＰＤＣＣＨを含む送信（ら）に対するチャネルアクセス手順で説明したカウンタＮは、搬送波ｃｊ∈Ｃに対して決定され、Ｎｃ＿ｊで表示される。ここで、ｃｊは、最も大きいＣＷｐ値を有する搬送波である。各々の搬送波ｃｉに対して、Ｎｃ＿ｉ＝Ｎｃ＿ｊである。ｅＮＢが、Ｎｃ＿ｉが決定された任意の一つの搬送波上で送信を中止する場合、ｅＮＢは、全ての搬送波に対してＮｃ＿ｉを再初期化しなければならない。
【０１６０】
以下、タイプＢマルチ−搬送波接続手順に対して説明する。
【０１６１】
搬送波ｃｊ∈ＣはｅＮＢにより下記のように選択される。
【０１６２】
−ｅＮＢは、複数の搬送波ｃｉ∈Ｃ上での各々の送信前にＣからｃｊを均一に無作為に選択し、または
【０１６３】
−ｅＮＢは、ｃｊを１秒毎に１回を超過して選択しない。
【０１６４】
ここで、Ｃは、ｅＮＢが送信を意図する搬送波の集合であり、ｉは０、１、...、ｑ−１であり、ｑは、ｅＮＢが送信を意図する搬送波の個数である。
【０１６５】
搬送波ｃｊ上で送信するために、
【０１６６】
−ｅＮＢは、以下のタイプＢ１またはタイプＢ２に対する修正（ｍｏｄｉｆｉｃａｔｉｏｎ）を有する、前述したＰＤＳＣＨ／ＰＤＣＣＨ／ＥＰＤＣＣＨを含む送信（ら）に対するチャネルアクセス手順によって搬送波ｃｊ上でチャネルアクセスを実行しなければならない。
【０１６７】
ｃｉ∈Ｃ、ｃｉ≠ｃｊである搬送波上で送信するために、
【０１６８】
−各々の搬送波ｃｉに対して、ｅＮＢは、搬送波ｃｊ上で送信する直前に最小限センシング間隔Ｔｍｃ＝２５ｕｓに対して搬送波ｃｉをセンシングしなければならず、ｅＮＢは、最小限センシング間隔Ｔｍｃに対して搬送波ｃｉがアイドルであるとセンシングした直後に搬送波ｃｉ上で送信できる。前記搬送波ｃｉは、もし、与えられた間隔Ｔｍｃ内に搬送波ｃｊ上でアイドルセンシング（ｉｄｌｅ  ｓｅｎｓｉｎｇ）が実行される全ての時間区間の間にチャネルがアイドルであるとセンシングされる場合、Ｔｍｃに対してアイドルであると考慮される。
【０１６９】
ｅＮＢは、表４で与えられたＴｍｃｏｔ、ｐを超過する期間に対してｃｉ∈Ｃ、ｃｉ≠ｃｊである搬送波上で送信し続けてはならない。ここで、Ｔｍｃｏｔ、ｐの値は、搬送波ｃｊに対して使われるチャネルアクセスパラメータを利用して決定される。
【０１７０】
以下、タイプＢ１に対して説明する。
【０１７１】
単一ＣＷｐ値は、搬送波の集合Ｃに対して維持される。
【０１７２】
搬送波ｃｊ上でのチャネルアクセスに対してＣＷｐを決定する時、コンテンションウィンドウ適用手順で説明した手順のステップ２は、次のように修正される。
【０１７３】
−もし、全ての搬送波ｃｉ∈Ｃの基準サブフレームｋ内でＰＤＳＣＨ送信（ら）に相応するＨＡＲＱ−ＡＣＫ値の少なくともＺ＝８０％がＮＡＣＫに決定される場合、各々の優先順位等級ｐ∈｛１、２、３、４｝に対してＣＷｐを次に高い許容された値に増加させ、そうでない場合、ステップ１に進行する。
【０１７４】
以下、タイプＢ２に対して説明する。
【０１７５】
ＣＷｐ値は、各々の搬送波ｃｉ∈Ｃに対して前述したコンテンションウィンドウ適用手順を利用して独立的に維持される。
【０１７６】
搬送波ｃｊに対してＮｉｎｉｔを決定する時、搬送波ｃｊ１∈ＣのＣＷｐ値が利用され、ここで、ｃｊ１は、集合Ｃ内の全ての搬送波のうち最も大きいＣＷｐ値を有する搬送波である。
【０１７７】
以下、アップリンクチャネルアクセス手順に対して説明する。
【０１７８】
端末及び前記端末に対してアップリンク送信（ら）をスケジューリングするｅＮＢは、前記端末に対してＬＡＡ  Ｓｃｅｌｌ（ら）送信（ら）が実行されるチャネル（ら）に接続するために、以下の手順を実行しなければならない。
【０１７９】
以下、アップリンク送信（ら）に対するチャネルアクセス手順に対して説明する。
【０１８０】
端末は、タイプ１またはタイプ２アップリンクチャネルアクセス手順のうち一つによって、ＬＡＡ  Ｓｃｅｌｌ（ら）アップリンク送信（ら）が実行される搬送波に接続できる。
【０１８１】
もし、ＰＵＳＣＨ送信をスケジューリングするアップリンクグラント（ｇｒａｎｔ）がタイプ１チャネルアクセス手順を指示する場合、端末は、以下で他の方式に説明しない限り、ＰＵＳＣＨ送信を含む送信を送信するためにタイプ１チャネルアクセス手順を利用しなければならない。
【０１８２】
もし、ＰＵＳＣＨ送信をスケジューリングするアップリンクグラント（ｇｒａｎｔ）がタイプ２チャネルアクセス手順を指示する場合、端末は、以下で他の方式に説明しない限り、ＰＵＳＣＨ送信を含む送信を送信するためにタイプ２チャネルアクセス手順を利用しなければならない。
【０１８３】
端末は、ＰＵＳＣＨ送信を含まないＳＲＳ送信を送信する時、タイプ１チャネルアクセス手順を利用しなければならない。アップリンクチャネルアクセス優先順位クラスｐ＝１は、ＰＵＳＣＨを含まないＳＲＳ送信に対して使われる。
【０１８４】
表５は、アップリンクに対するチャネルアクセス優先順位クラスに対するものである。
【０１８５】
【表５】
0006961798.tif 000006
【０１８６】
もし、‘ＵＬ  ｃｏｎｆｉｇｕｒａｔｉｏｎ  ｆｏｒ  ＬＡＡ’フィールドがサブフレームｎに対して‘ＵＬ  ｏｆｆｓｅｔ’ｌ及び‘ＵＬ  ｄｕｒａｔｉｏｎ’ｄを構成する場合、
【０１８７】
もし、端末送信の終了がサブフレームｎ＋ｌ＋ｄ−１内でまたはその以前に発生した場合、そのようなサブフレームに対するアップリンクグラントでシグナリングされたチャネルアクセスタイプにかかわらず、端末は、サブフレームｎ＋ｌ＋ｉ内での送信に対してチャネルアクセスタイプ２を利用することができ、ｉ＝０、１、...、ｄ−１である。
【０１８８】
もし、端末がＰＤＣＣＨ  ＤＣＩフォーマット０Ｂ／４Ｂを利用してサブフレーム集合ｎ０、ｎ１、...、ｎｗ−１内のＰＵＳＣＨを含む送信を送信することをスケジューリングし、サブフレームｎｋ内の送信に対するチャネルに接続できない場合、端末は、ＤＣＩ内で指示されたチャネルアクセスタイプによってサブフレームｎｋ＋１内での送信をするように試みなければならず、ここで、ｋ∈｛０、１、...、ｗ−２｝であり、ｗは、ＤＣＩ内で指示されたスケジューリングされたサブフレームの個数である。
【０１８９】
もし、端末が一つ以上のＰＤＣＣＨ  ＤＣＩフォーマット０Ａ／０Ｂ／４Ａ／４Ｂを利用してサブフレームの集合ｎ０、ｎ１、...、ｎｗ−１内にＰＵＳＣＨを含むギャップがない送信を送信することにスケジューリングされ、前記端末がタイプ１またはタイプ２アップリンクチャネルアクセス手順のうち一つによって搬送波に接続した以後にサブフレームｎｋ内で送信を実行する場合、前記端末は、ｎｋ以後サブフレーム内で送信を続けることができ、ここで、ｋ∈０、１、...、ｗ−１｝である。
【０１９０】
もし、サブフレームｎ＋１内の端末送信の開始がサブフレームｎ内の端末の送信の終了直後である場合、前記端末は、そのようなサブフレーム内の送信に対して互いに異なるチャネルアクセスタイプの指示を受けることを期待しない。
【０１９１】
もし、端末が一つ以上のＰＤＣＣＨ  ＤＣＩフォーマット０Ａ／０Ｂ／４Ａ／４Ｂを利用してサブフレームｎ０、ｎ１、...、ｎｗ−１内のギャップなしで送信するようにスケジューリングされ、ｋ１∈｛０、１、...、ｗ−２｝であるサブフレームｎｋ１の間にまたはその前に送信を中止し、端末が送信を中止した以後チャネルが持続的にアイドル（ｉｄｌｅ）であると端末によりセンシングされた場合、前記端末は、以後のサブフレームｎｋ２、ｋ２∈｛１、...、ｗ−１｝内でタイプ２チャネルアクセス手順を利用して送信できる。もし、端末によりセンシングされたチャネルが、前記端末が送信を中止した以後持続的にアイドルでない場合、前記端末は、以後のサブフレームｎｋ２、ｋ２∈｛１、...、ｗ−１｝内でサブフレームｎｋ２に対応するＤＣＩ内で指示されたアップリンクチャネルアクセス優先順位クラスを有するタイプ１チャネルアクセス手順を利用して送信できる。
【０１９２】
もし、端末がＵＬグラントを受信し、ＤＣＩがタイプ１チャネルアクセス手順を利用してサブフレームｎから始めるＰＵＳＣＨ送信を指示し、及び、もし、端末がサブフレームｎ以前に持続的な（ｏｎｇｏｉｎｇ）タイプ１チャネルアクセス手順を有する場合、
【０１９３】
−もし、前記持続的なタイプ１チャネルアクセス手順に使われたアップリンクチャネルアクセス優先順位クラス値ｐ１がＤＣＩにより指示されたアップリンクチャネルアクセス優先順位クラス値ｐ２と同じまたは大きい場合、端末は、前記持続的なタイプ１チャネルアクセス手順を利用して搬送波に接続することによって前記ＵＬグラントに対する応答としてＰＵＳＣＨ送信を送信することができる。
【０１９４】
−もし、前記持続的なタイプ１チャネルアクセス手順に使われたアップリンクチャネルアクセス優先順位クラス値ｐ１がＤＣＩにより指示されたアップリンクチャネルアクセス優先順位クラス値ｐ２より小さい場合、前記端末は、前記持続的なチャネルアクセス手順を終了しなければならない。
【０１９５】
もし、前記端末がサブフレームｎ内の搬送波の集合Ｃ上で送信するようにスケジューリングされ、及び、もし、搬送波の集合Ｃ上でＰＵＳＣＨ送信をスケジューリングするＵＬグラントがタイプ１チャネルアクセス手順を指示し、及び、もし、同じ‘ＰＵＳＣＨ  ｓｔａｒｔｉｎｇ  ｐｏｓｉｔｉｏｎ’が搬送波の集合Ｃ内の全ての搬送波に対して指示され、及び、もし、搬送波の集合Ｃの搬送波周波数が事前に定義された搬送波周波数の集合のうち一つのサブセットである場合、
【０１９６】
−次の場合、端末は、タイプ２チャネルアクセス手順を利用して搬送波ｃｉ∈上で送信できる。
【０１９７】
−−もし、タイプ２チャネルアクセス手順がｃｊ∈Ｃ、ｉ≠ｊである搬送波上での端末送信直前に搬送波ｃｉ上で実行される場合、及び
【０１９８】
−−もし、端末がタイプ１チャネルアクセス手順を利用して搬送波ｃｊに接続した場合、
【０１９９】
−−−ここで、搬送波ｃｊは、搬送波の集合Ｃ内に任意の搬送波上でタイプ１チャネルアクセス手順を実行する以前に搬送波の集合Ｃから端末により均一に任意に選択される。
【０２００】
ｅＮＢがＰＤＳＣＨ／ＰＤＣＣＨ／ＥＰＤＣＣＨを含む送信（ら）に対するチャネルアクセス手順によって搬送波上で送信した時、ｅＮＢは、サブフレームｎ内に搬送波上でＰＵＳＣＨを含む送信（ら）をスケジューリングするＵＬグラントのＤＣＩ内にタイプ２チャネルアクセス手順を指示することができる。または、ｅＮＢがＰＤＳＣＨ／ＰＤＣＣＨ／ＥＰＤＣＣＨを含む送信（ら）に対するチャネルアクセス手順によって搬送波上で送信した時、ｅＮＢは、サブフレームｎ内に搬送波上でＰＵＳＣＨを含む送信（ら）に対するタイプ２チャネルアクセス手順を実行することができるということを‘ＵＬ  ｃｏｎｆｉｇｕｒａｔｉｏｎ  ｆｏｒ  ＬＡＡ’フィールドを利用して指示できる。または、もし、サブフレームｎがｔ０から始めてｔ０＋ＴＣＯで終わる時間間隔以内で発生する場合、ｅＮＢは、Ｔｓｈｏｒｔ＿ｕｌ＝２５ｕｓの期間を有する搬送波上でｅＮＢによる送信に後続するサブフレームｎ内の搬送波上でＰＵＳＣＨを含む送信をスケジューリングすることができる。ここで、ＴＣＯ＝Ｔｍｃｏｔ、ｐ＋Ｔｇであり、
【０２０１】
−ｔ０は、ｅＮＢが送信を開始する時間（ｔｉｍｅ  ｉｎｓｔａｎｔ）であり、
【０２０２】
−Ｔｍｃｏｔ、ｐ値は、ダウンリンクチャネルアクセス手順で説明したように、基地局により決定され、
【０２０３】
−Ｔｇは、基地局のダウンリンク送信及び基地局によりスケジューリングされたアップリンク送信間に、及びｔ０から始める基地局によりスケジューリングされた任意の二つのアップリンク送信間に発生する、２５ｕｓを超過する全ての時間区間のギャップの総時間区間である。
【０２０４】
もし、連続的にスケジューリングが可能な場合、ｅＮＢは、ｔ０及びｔ０＋ＴＣＯ間のアップリンク送信を連続的なサブフレーム内にスケジューリングしなければならない。
【０２０５】
Ｔｓｈｏｒｔ＿ｕｌ＝２５ｕｓの持続期間を有する搬送波上でｅＮＢによる送信に後続する搬送波上でのアップリンク送信に対して、端末は、前記アップリンク送信に対してタイプ２チャネルアクセス手順を利用することができる。
【０２０６】
もし、ｅＮＢがＤＣＩ内に端末に対するタイプ２チャネルアクセス手順を指示する場合、ｅＮＢは、ＤＣＩ内にチャネルに対する接続を取得するときに使われるチャネルアクセス優先順位クラスを指示する。
【０２０７】
以下、タイプ１アップリンクチャネルアクセス手順に対して説明する。
【０２０８】
端末は、遅延区間（ｄｅｆｅｒ  ｄｕｒａｔｉｏｎ）Ｔｄのスロット期間の間に最初にチャネルがアイドルであるとセンシングした以後、及びステップ４でカウンタＮが０である以後、タイプ１チャネルアクセス手順を利用して送信を送信することができる。カウンタＮは、以下のステップによって追加的なスロット期間（ら）に対するチャネルをセンシングすることによって調整される。
【０２０９】
１）Ｎ＝Ｎｉｎｉｔに設定する。ここで、Ｎｉｎｉｔは、０とＣＷｐとの間に均一に分布した任意の数字である。以後、ステップ４に進行する。
【０２１０】
２）もし、Ｎ＞０であり、ｅＮＢが前記カウンタを減少することを選択する場合、Ｎ＝Ｎ−１に設定する。
【０２１１】
３）追加的なスロット期間（ｓｌｏｔ  ｄｕｒａｔｉｏｎ）に対するチャネルをセンシングし、もし、前記追加的なスロット期間がアイドル（ｉｄｌｅ）である場合、ステップ４に進行する。そうでない場合、ステップ５に進行する。
【０２１２】
４）もし、Ｎ＝０である場合、中止し、そうでない場合、ステップ２に進行する。
【０２１３】
５）混雑スロット（ｂｕｓｙ  ｓｌｏｔ）が追加的な遅延期間Ｔｄ以内に検出され、または前記追加的な遅延期間Ｔｄの全てのスロットがアイドルであると検知される時まで前記チャネルをセンシングする。
【０２１４】
６）もし、前記チャネルが前記追加的な遅延期間Ｔｄの全てのスロット期間の間にアイドルであるとセンシングされる場合、ステップ４に進行する。そうでない場合、ステップ５に進行する。
【０２１５】
もし、端末が前述した手順のステップ４以後ＬＡＡ  Ｓｃｅｌｌ（ら）送信（ら）が実行される搬送波上でＰＵＳＣＨを含む送信を送信しない場合、前記端末は、もし、端末がＰＵＳＣＨを含む送信を送信する準備ができた時、チャネルが少なくともスロット期間Ｔｓｌでアイドルであるとセンシングされ、及びＰＵＳＣＨを含む送信直前にチャネルが遅延期間Ｔｄの全てのスロット期間の間にアイドルであるとセンシングされる場合、前記搬送波上でＰＵＳＣＨを含む送信を送信することができる。端末が送信する準備ができた以後チャネルを最初にセンシングした時、スロット期間Ｔｓｌ内で前記チャネルがアイドルであるとセンシングされない、または、もし、ＰＵＳＣＨを含む意図された（ｉｎｔｅｎｄｅｄ）送信直前遅延期間Ｔｄの任意のスロット期間の間にチャネルがアイドルであるとセンシングされない場合、前記端末は、遅延期間Ｔｄのスロット期間の間にチャネルがアイドルであるとセンシングした以後ステップ１に進行する。
【０２１６】
前記遅延期間Ｔｄは、連続的なスロット期間ｍｐ直後に持続時間（ｄｕｒａｔｉｏｎ）Ｔｆ＝１６ｕｓで構成される。ここで、各スロット期間はＴｓｌ＝９ｕｓであり、ＴｆはＴｆの開始地点でアイドルスロット期間（ｉｄｌｅ  ｓｌｏｔ  ｄｕｒａｔｉｏｎ）Ｔｓｌを含む。
【０２１７】
スロット期間Ｔｓｌは、もし、前記スロット期間の間に端末が前記チャネルをセンシングし、前記スロット期間内に少なくとも４ｕｓに対して端末により検知された電力がエネルギー検知閾値ＸＴｈｒｅｓｈより小さい場合、アイドルであると考慮される。そうでない場合、前記スロット期間Ｔｓｌは、混雑すると考慮される。
【０２１８】
ＣＷｐ（ＣＷｍｉｎ、ｐ≦ＣＷｐ≦ＣＷｍａｘ、ｐ）は、コンテンションウィンドウ（ｃｏｎｔｅｎｔｉｏｎ  ｗｉｎｄｏｗ）である。ＣＷｐ適用は、後述するコンテンションウィンドウ適用手順で説明する。
【０２１９】
ＣＷｍｉｎ、ｐ及びＣＷｍａｘ、ｐは、前述したステップ１以前に選択される。
【０２２０】
ｍｐ、ＣＷｍｉｎ、ｐ、及びＣＷｍａｘ、ｐは、表５のように端末にシグナリングされたチャネルアクセス優先順位クラスに基づいている。
【０２２１】
ＸＴｈｒｅｓｈ適用は、後述するエネルギー検知閾値適応手順で説明する。
【０２２２】
以下、タイプ２アップリンクチャネルアクセス手順（Ｔｙｐｅ２  ＵＬ  ｃｈａｎｎｅｌ  ａｃｃｅｓｓ  ｐｒｏｃｅｄｕｒｅ）に対して説明する。
【０２２３】
もし、アップリンク端末がＰＵＳＣＨを含む送信に対してタイプ２チャネルアクセス手順を利用する場合、端末は、少なくともＴｓｈｏｒｔ＿ｕｌ＝２５ｕｓのセンシング間隔に対してチャネルがアイドルであるとセンシングした直後にＰＵＳＣＨを含む送信を送信することができる。Ｔｓｈｏｒｔ＿ｕｌは、ワンショット期間（ｏｎｅ  ｓｈｏｔ  ｄｕｒａｔｉｏｎ）Ｔｓｌ＝９ｕｓが後続する期間Ｔｆ＝１６ｕｓで構成され、Ｔｆは、Ｔｆの開始地点でアイドルスロット期間Ｔｓｌを含む。もし、Ｔｓｈｏｒｔ＿ｕｌのスロット期間の間にアイドルであると検知される場合、チャネルは、Ｔｓｈｏｒｔ＿ｕｌに対してアイドルであると考慮される。
【０２２４】
以下、コンテンションウィンドウ適用手順（ｃｏｎｔｅｎｔｉｏｎ  ｗｉｎｄｏｗ  ａｄｊｕｓｔｍｅｎｔ  ｐｒｏｃｅｄｕｒｅ）に対して説明する。
【０２２５】
もし、端末が搬送波上でチャネルアクセス優先順位クラスｐと関連したタイプ１チャネルアクセス手順を使用した送信を送信する場合、前記端末は、コンテンションウィンドウ値ＣＷｐを維持し、後述する手順を利用して前述したタイプ１アップリンクチャネルアクセス手順のステップ１以前にそのような送信に対するＣＷｐを適用しなければならない。
【０２２６】
−もし、ＨＡＲＱ＿ＩＤ＿ｒｅｆと関連した少なくとも一つのＨＡＲＱ手順に対するＮＤＩ値がトグルされる場合、
【０２２７】
−−全ての優先順位等級ｐ∈｛１、２、３、４｝に対してＣＷｐ＝ＣＷｍｉｎ、ｐに設定する。
【０２２８】
−そうでない場合、全ての優先順位等級ｐ∈｛１、２、３、４｝に対してＣＷｐをその次に高い許容された値に増加させる。
【０２２９】
ＨＡＲＱ＿ＩＤ＿ｒｅｆは、基準（ｒｅｆｅｒｅｎｃｅ）サブフレームｎｒｅｆ内のＵＬ−ＳＣＨのＨＡＲＱプロセスＩＤである。基準（ｒｅｆｅｒｅｎｃｅ）サブフレームｎｒｅｆは、下記のように決定される。
【０２３０】
−もし、端末がアップリンクグラントをサブフレームｎｇ内で受信した場合、サブフレームｎｗは、端末がタイプ１チャネルアクセス手順を利用してＵＬ−ＳＣＨを送信したサブフレームｎｇ−３以前に最も最近のサブフレームである。
【０２３１】
−−もし、端末がギャップ（ｇａｐ）なしでサブフレームｎ０から始めてｎ０、ｎ１、...、ｎｗ内でＵＬ−ＳＣＨを含む送信を送信する場合、基準サブフレームｎｒｅｆは、サブフレームｎ０であり、
【０２３２】
−−そうでない場合、基準サブフレームｎｒｅｆは、サブフレームｎｗである。
【０２３３】
もし、端末がタイプ１チャネルアクセス手順を利用してサブフレーム集合ｎ０、ｎ１、...、ｎｗ−１内でギャップなしでＰＵＳＣＨを含む送信を送信するようにスケジューリングされ、及び、もし、前記サブフレーム集合内でＰＵＳＣＨを含む任意の送信を送信することができない場合、端末は、全ての優先順位等級ｐ∈｛１、２、３、４｝に対してＣＷｐ値を変更せずに維持できる。
【０２３４】
また、もし、最後にスケジューリングされた送信に対する基準サブフレームがｎｒｅｆである場合、端末は、タイプ１チャネルアクセス手順を利用してＰＵＳＣＨを含む最後にスケジューリングされた送信に対するものと同じく全ての優先順位等級ｐ∈｛１、２、３、４｝に対するＣＷｐの値を維持することができる。
【０２３５】
もし、ＣＷｐ＝ＣＷｍａｘ、ｐである場合、ＣＷｐ適用に対するその次に高い許容された値は、ＣＷｍａｘ、ｐである。
【０２３６】
もし、Ｎｉｎｉｔの生成に対してＣＷｐ＝ＣＷｍａｘ、ｐがＫ回連続して使われる場合、ＣＷｐは、Ｎｉｎｉｔの生成に対してＣＷｐ＝ＣＷｍａｘ、ｐがＫ回連続して使われた該当優先順位等級ｐに対してのみＣＷｍｉｎ、ｐにリセットされる。Ｋは、各々の優先順位等級ｐ∈｛１、２、３、４｝に対して｛１、２、...、８｝値の集合から端末により選択される。
【０２３７】
以下、エネルギー検知閾値適応手順（ｅｎｅｒｇｙ  ｄｅｔｅｃｔｉｏｎ  ｔｈｒｅｓｈｏｌｄ  ａｄａｐｔａｔｉｏｎ  ｐｒｏｃｅｄｕｒｅ）に対して説明する。
【０２３８】
ＬＡＡ  Ｓｃｅｌｌ（ら）送信（ら）が実行される搬送波に接続した端末は、エネルギー検知閾値（ＸＴｈｒｅｓｈ）を最大エネルギー検知閾値ＸＴｈｒｅｓｈ＿ｍａｘ以下に設定しなければならない。
【０２３９】
ＸＴｈｒｅｓｈ＿ｍａｘは、下記のように決定される。
【０２４０】
−もし、端末が上位階層パラメータ‘ｍａｘＥｎｅｒｇｙＤｅｔｅｃｔｉｏｎＴｈｒｅｓｈｏｌｄ−ｒ１４’により設定される場合、
【０２４１】
−−ＸＴｈｒｅｓｈ＿ｍａｘは、上位階層パラメータによりシグナリングされた値と同じく設定される。
【０２４２】
−そうでない場合、
【０２４３】
−−端末は、後述するデフォルト（ｄｅｆａｕｌｔ）最大エネルギー検知閾値計算手順によってＸ′Ｔｈｒｅｓｈ＿ｍａｘを決定しなければならない。
【０２４４】
−−もし、端末が上位階層パラメータ‘ｅｎｅｒｇｙＤｅｔｅｃｔｉｏｎＴｈｒｅｓｈｏｌｄＯｆｆｓｅｔ−ｒ１４’により設定される場合、
【０２４５】
−−−ＸＴｈｒｅｓｈ＿ｍａｘは、上位階層パラメータによりシグナリングされるオフセット値によってＸ′Ｔｈｒｅｓｈ＿ｍａｘを適用することによって設定される。
【０２４６】
−−そうでない場合、
【０２４７】
−−−端末は、ＸＴｈｒｅｓｈ＿ｍａｘ＝Ｘ′Ｔｈｒｅｓｈ＿ｍａｘに設定しなければならない。
【０２４８】
以下、デフォルト最大エネルギー検知閾値計算手順（ｄｅｆａｕｌｔ  ｍａｘｉｍｕｍ  ｅｎｅｒｇｙ  ｄｅｔｅｃｔｉｏｎ  ｔｈｒｅｓｈｏｌｄ  ｃｏｍｐｕｔａｔｉｏｎ  ｐｒｏｃｅｄｕｒｅ）に対して説明する。
【０２４９】
もし、上位階層パラメータ‘ａｂｓｅｎｃｅＯｆＡｎｙＯｔｈｅｒＴｅｃｈｎｏｌｏｇｙ−ｒ１４’がＴＲＵＥを指示する場合：
【０２５０】
−Ｘ′Ｔｈｒｅｓｈ＿ｍａｘ＝ｍｉｎ｛Ｔｍａｘ＋１０ｄＢ、Ｘｒ｝であり、ここで、
【０２５１】
−−Ｘｒは、規制要求事項が定義された場合、ｄＢｍ単位で規制要求事項（ｒｅｇｕｌａｔｏｒｙ  ｒｅｑｕｉｒｅｍｅｎｔｓ）により定義された最大エネルギー検知閾値である。そうでない場合、Ｘｒ＝Ｔｍａｘ＋１０ｄＢである。
【０２５２】
そうでない場合、
【０２５３】
−Ｘ′Ｔｈｒｅｓｈ＿ｍａｘ＝ｍａｘ｛−７２＋１０＊ｌｏｇ１０（ＢＷＭＨｚ／２０ＭＨｚ）ｄＢｍ、ｍｉｎ｛Ｔｍａｘ、Ｔｍａｘ−ＴＡ＋（ＰＨ＋１０＊ｌｏｇ１０（ＢＷＭＨｚ／２０ＭＨｚ）−ＰＴＸ）｝｝
【０２５４】
ここで、
【０２５５】
−ＴＡ＝１０ｄＢ
【０２５６】
−ＰＨ＝２３ｄＢｍ
【０２５７】
−ＰＴＸは、ＰＣＭＡＸ＿Ｈ、ｃの値に設定される。
【０２５８】
−Ｔｍａｘ（ｄＢｍ）＝１０＊ｌｏｇ１０（３．１６２２８＊１０−８（ｍＷ／ＭＨｚ）＊ＢＷＭＨｚ（ＭＨｚ））
【０２５９】
−−ＢＷＭＨｚは、ＭＨｚ単位の単一搬送波帯域幅である。
【０２６０】
本発明では非免許帯域（ｕｎｌｉｃｅｎｓｅｄ  ｂａｎｄ）内の基地局と端末で構成された無線通信システムで、端末が自律的アップリンク（Ａｕｔｏｎｏｍｏｕｓ  ｕｐｌｉｎｋ：ＡＵＬ）送信を介して基地局にデータを送信する時、ＲＲＣのような上位階層信号によってＡＵＬ  ＵＣＩ（ｕｐｌｉｎｋ  ｃｏｎｔｒｏｌ  ｉｎｆｏｒｍａｔｉｏｎ）を構成する方法とＭＣＯＴ（ｍａｘｉｍｕｍ  ｃｈａｎｎｅｌ  ｏｃｃｕｐａｎｃｙ  ｔｉｍｅ）共有方法に対して提案する。
【０２６１】
一層多くの通信機器が一層大きい通信容量を要求するにつれて、次期無線通信システムで制限された周波数帯域の効率的活用は、益々重要な要求になっている。ＬＴＥ／ＮＲシステムのようなセルラー通信システムで、既存のＷｉＦｉシステムが主に使用する２．４ＧＨｚ帯域のような非免許帯域、または新しく注目を浴びている５ＧＨｚ及び６０ＧＨｚ帯域のような非免許帯域をトラフィックオフローディング（ｏｆｆｌｏａｄｉｎｇ）に活用する方案を検討中である。
【０２６２】
基本的に、非免許帯域は、各通信ノード間のコンテンションを介して無線送受信をする方式を仮定するため、各通信ノードが信号を送信する前にチャネルセンシング（ｃｈａｎｎｅｌ  ｓｅｎｓｉｎｇ）を実行して他の通信ノードが信号送信をしないことを確認することを要求している。便宜上、このような動作をＬＢＴ（ｌｉｓｔｅｎ  ｂｅｆｏｒｅ  ｔａｌｋ）またはチャネルアクセス手順（ｃｈａｎｎｅｌ  ａｃｃｅｓｓ  ｐｒｏｃｅｄｕｒｅ）といい、特に他の通信ノードが信号送信をするかどうかを確認する動作を搬送波センシング（ｃａｒｒｉｅｒ  ｓｅｎｓｉｎｇ：ＣＳ）、他の通信ノードが信号送信をしないと判断した場合をＣＣＡ（ｃｌｅａｒ  ｃｈａｎｎｅｌ  ａｓｓｅｓｓｍｅｎｔ）が確認されたということができる。
【０２６３】
図１２は、チャネルアクセス手順（または、ＬＢＴ）を例示する。
【０２６４】
図１２を参照すると、端末は、スロット区間（Ｔｄ）に対してチャネルセンシングを実行することができる（Ｓ１２１０）。端末は、カウンタ（ランダムバックオフカウンタ）値が０であるかどうかを判断する（Ｓ１２２０）。前記カウンタ値の初期値（Ｎｉｎｉｔ）が０とＣＷｐとの間の任意の整数に選択されることができる。端末は、前記スロット区間でチャネルがアイドル（ｉｄｌｅ）であり、前記カウンタ値が０である場合、データを送信することができる（Ｓ１２３０）。
【０２６５】
図１２の手順を一層詳細に説明する。例えば、最初チャネルアクセス（ｉｎｉｔｉａｌ  ａｃｃｅｓｓ）のためのチャネルセンシングを少なくともＴｄ（これを遅延（ｄｅｆｅｒ）区間という）の間に実行することができる。もし、Ｔｄ区間の間にチャネルが“アイドル（ｉｄｌｅ、即ち、使用可能）”であり、ランダムバックオフカウンタ（Ｒａｎｄｏｍ  ｂａｃｋ−ｏｆｆ  ｃｏｕｎｔｅｒ）値Ｎが０である場合、チャネルを占有してデータを送信する。このとき、Ｎの調整手順として、下記の手順を実行することができる。
【０２６６】
１）Ｎ＝Ｎｉｎｉｔに設定、ここで、Ｎｉｎｉｔは、０とＣＷｐとの間の任意の整数；
【０２６７】
２）もし、Ｎが０より大きい場合、端末は、Ｎを１減少するように選択；
【０２６８】
３）一つのスロットの間にチャネルセンシングを実行し、センシング結果チャネルが“使用可能”である場合、手順４）を実行、そうでない場合、手順５）を実行；
【０２６９】
４）もし、Ｎが０である場合、チャネルアクセスのための本手順を終了し、そうでない場合、手順２）実行；
【０２７０】
５）追加で、Ｔｄ区間の間にＴｄ内に一つのスロットが“使用中”と検出される時までチャネルをセンシングし、またはＴｄ区間に全てのスロットが“使用可能”と検出される時までチャネルをセンシング；
【０２７１】
６）手順５）の結果、Ｔｄ区間の全てのスロットの間にチャネルが“使用可能”にセンシングされる場合、手順４）を実行、そうでない場合、手順５）を再び実行。
【０２７２】
一方、Ｎｉｎｉｔ値を選択するための範囲に該当する表５に定義されたように送信しようとするデータのチャネルアクセス優先順位クラス（ｃｈａｎｎｅｌ  ａｃｃｅｓｓ  ｐｒｉｏｒｉｔｙ  ｃｌａｓｓ：ｐ）によって現在のコンテンションウィンドウ大きさ（ＣＷＳ）であるＣＷｐが有することができる最小値ＣＷｍｉｎ、ｐと最大値ＣＷｍａｘ、ｐが決められ、ＣＷｐは、前記最小値と前記最大値との間で決定される値を有する。
【０２７３】
ある搬送波でチャネルアクセス優先順位クラスｐに関連したタイプ１チャネルアクセス手順を利用して送信をする端末の場合、下記の過程を経てコンテンションウィンドウ大きさを調整することができる。
【０２７４】
もし、端末がＵＬグラントまたはＡＵＬ−ＤＦＩ（ｄｏｗｎｌｉｎｋ  ｆｅｅｄｂａｃｋ  ｉｎｄｉｃａｔｏｒ）を受信した場合、もし、該当ＨＡＲＱプロセスに対するＮＤＩ（ｎｅｗ  ｄａｔａ  ｉｎｄｉｃａｔｏｒ）フィールドがトグルされ、または該当ＨＡＲＱプロセスに対してＡＣＫを受信する場合、全ての優先順位クラスに対してコンテンションウィンドウ大きさを最小値に設定できる。そうでない場合（例えば、前記ＮＤＩフィールドがトグルされない、または該当ＨＡＲＱプロセスに対してＮＡＣＫを受信する場合）、前記表５で優先順位クラスに対して許容された値のうち次に高い値にコンテンションウィンドウ大きさを増加させる。
【０２７５】
ＬＴＥ／ＮＲシステムの基地局（ｅＮＢ）や端末（ＵＥ）も非免許帯域（以下、便宜上、Ｕ−ｂａｎｄと称することもできる）での信号送信のためにはＬＢＴ（チャネルアクセス手順）を実行すべきであり、ＬＴＥ／ＮＲシステムの基地局や端末が信号を送信する時にＷｉＦｉなど、他の通信ノードもＬＢＴを実行して干渉を起こさないことが必要である。例えば、ＷｉＦｉ標準（８０１．１１ａｃ）でＣＣＡ閾値（ｔｈｒｅｓｈｏｌｄ）は、ｎｏｎ−ＷｉＦｉ信号に対して−６２ｄＢｍ、ＷｉＦｉ信号に対して−８２ｄＢｍに規定されている。これは通信ノード（ＳＴＡ（ｓｔａｔｉｏｎ）やＡＰ（ａｃｃｅｓｓ  ｐｏｉｎｔ））は、例えば、ＷｉＦｉ以外の信号が−６２ｄＢｍ以上の電力で受信される場合、干渉を起こさないように信号送信をしないことを意味することができる。
【０２７６】
図１３は、非免許帯域での基地局と端末との間の動作の一例を示す。
【０２７７】
図１３を参照すると、基地局は、ＵＬグラント送信のためのＬＢＴ過程（チャネルアクセス手順、以下、同じ）を実行する（Ｓ１３１）。前記ＬＢＴ過程を成功する場合（例えば、チャネルを他の通信ノードが使用しなくて前記基地局が前記チャネルを使用してもよいと判断した場合）、基地局は、端末にＵＬグラントを送信する（Ｓ１３２）。
【０２７８】
端末は、ＵＬデータ送信のためのＬＢＴ過程を実行する（Ｓ１３３）。前記ＬＢＴ過程を成功する場合、前記基地局にＵＬデータを送信する（Ｓ１３４）。前記ＵＬデータは、前記ＵＬグラントに基づいて送信できる。例えば、前記ＵＬグラントからスケジューリングを受けたリソースを利用して前記ＵＬデータを送信することができる。
【０２７９】
このように、非免許帯域で端末のアップリンクデータ送信のためには、まず、基地局が非免許帯域上ＵＬグラント送信のためのＬＢＴに成功しなければならず、端末もＵＬデータ送信のためのＬＢＴに成功しなければならない。即ち、基地局端と端末端の二回のＬＢＴが全て成功する場合のみ、ＵＬデータ送信を試みることができる。
【０２８０】
また、ＬＴＥシステムにおいて、ＵＬグラントと前記ＵＬグラントからスケジューリングされたＵＬデータ間には最小４ｍｓｅｃの遅延時間（ｄｅｌａｙ）が必要となり、このような遅延時間の間に非免許帯域に共存する他の送信ノードが先に接続する場合、前記スケジューリングされたＵＬデータ送信が遅延されることができる。このような理由で、非免許帯域でＵＬデータ送信の効率性を高める方法が論議されている。
【０２８１】
図１４は、自律的アップリンク送信（ａｕｔｏｎｏｍｏｕｓ  ＵＬ  ｔｒａｎｓｍｉｓｓｉｏｎ：ＡＵＬ  ｔｒａｎｓｍｉｓｓｉｏｎ、以下、ＡＵＬと略称できる）による基地局と端末との間の動作方法を例示する。
【０２８２】
自律的アップリンク送信（ＡＵＬ）は、ＵＬグラントなしでＵＬデータを送信することができるアップリンク送信を意味することができる。
【０２８３】
基地局は、ＬＢＴ過程を経て（Ｓ１４１）、端末にＡＵＬ活性化及び／またはＡＵＬ設定情報を提供することができる（Ｓ１４２）。ＡＵＬ設定情報は、例えば、自律的アップリンク送信（ＡＵＬ）を実行することができるＡＵＬサブフレームまたはＡＵＬスロットを知らせることができる。一例として、ＡＵＬ設定情報は、Ｘビットビットマップ（例えば、Ｘ＝４０ビット）を含むことができ、前記ビットマップを介してＡＵＬサブフレームまたはＡＵＬスロットを知らせることができる。
【０２８４】
端末は、自律的アップリンク送信の活性化に対する指示を受けると、前記ビットマップで指示されたＡＵＬサブフレームまたはＡＵＬスロットでＵＬグラントなくてもアップリンクデータ送信が可能である（Ｓ１４４、Ｓ１４６）。ただし、ＡＵＬ送信前にＬＢＴ過程を経なければならない（Ｓ１４３、Ｓ１４５）。
【０２８５】
基地局が端末にＰＤＳＣＨを送信するにあたって、前記ＰＤＳＣＨのデコーディングに必要なスケジューリング情報であるＰＤＣＣＨを共に送るように、端末は、ＡＵＬでＰＵＳＣＨを送信するにあたって、基地局が該当ＰＵＳＣＨをデコーディングするときに必要な情報であるＡＵＬ  ＵＣＩを共に送信できる。
【０２８６】
ＡＵＬ−ＵＣＩには、例えば、ＨＡＲＱ  ＩＤ（ｉｄｅｎｔｉｔｙ）、ＮＤＩ（ｎｅｗ−ｄａｔａ  ｉｎｄｉｃａｔｏｒ）、ＲＶ（ｒｅｄｕｎｄａｎｃｙ  ｖｅｒｓｉｏｎ）、ＡＵＬサブフレーム（ＳＦ）開始位置（ｓｔａｒｔｉｎｇ  ｐｏｓｉｔｉｏｎ）、ＡＵＬサブフレーム最後の位置（ＳＦ  ｅｎｄｉｎｇ  ｐｏｓｉｔｉｏｎ）等、ＡＵＬ  ＰＵＳＣＨ受信に必要な情報及び端末が開始した（ＵＥ−ｉｎｉｔｉａｔｅｄ）ＣＯＴ（ｃｈａｎｎｅｌ  ｏｃｃｕｐａｎｃｙ  ｔｉｍｅ）を基地局と共有（ｓｈａｒｅ）するための情報などが含まれることができる。
【０２８７】
端末が開始したＣＯＴを基地局と共有するということは、例えば、ランダムバックオフ（ｒａｎｄｏｍ−ｂａｃｋｏｆｆ）ベースのカテゴリ４ＬＢＴ（または、タイプ１チャネルアクセス手順）を介して、端末が捕らえたチャネルのうち一部を基地局に渡し、基地局は（端末が最後のシンボルを空けることによって用意された時間ギャップ（ｔｉｍｉｎｇ  ｇａｐ）を活用して）２５ｕｓｅｃ（マイクロ秒）の一回的ＬＢＴ（ｏｎｅ  ｓｈｏｔ  ＬＢＴ）を介してチャネルがアイドル（ｉｄｌｅ）であると、ＰＤＣＣＨ（及びＰＤＳＣＨ）を送信することができる動作を意味することができる。
【０２８８】
本発明ではＡＵＬバースト（ｂｕｒｓｔ）（一つ以上の連続されたＡＵＬ  ＰＵＳＣＨ送信を便宜上ＡＵＬバーストと称する）の最後のサブフレームの最後のシンボルを常に空けるか、常に満たすか（または、ＡＵＬバーストの最後のサブフレームの最後のシンボル（ｅｎｄｉｎｇ  ｓｙｍｂｏｌ）がシンボル＃１３か、またはシンボル＃１２が）ＲＲＣシグナリングで端末に設定された場合、ＡＵＬ−ＵＣＩ構成方法に対して提案する。例えば、ＡＵＬ−ＵＣＩにＡＵＬサブフレームまたはＡＵＬスロットの最後の位置（ｅｎｄｉｎｇ  ｐｏｓｉｔｉｏｎ）情報及び端末が開始した（ＵＥ−ｉｎｉｔｉａｔｅｄ）ＣＯＴを基地局と共有するための情報を含ませるかどうかなどに対して提案／説明する。
【０２８９】
以下、本発明でＰＢＣＨ（ｐｈｙｓｉｃａｌ  ｂｒｏａｄｃａｓｔ  ｃｈａｎｎｅｌ）は、システム帯域、ＳＦＮ（ｓｙｓｔｅｍ  ｆｒａｍｅ  ｎｕｍｂｅｒ）などの基本的なシステム情報（以下、ＭＩＢ（ｍａｓｔｅｒ  ｉｎｆｏｒｍａｔｉｏｎ  ｂｌｏｃｋ））を送信する物理チャネルを意味することができる。ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）は、前記ＭＩＢ以外に、ランダム接続手順（ｒａｎｄｏｍ  ａｃｃｅｓｓ  ｐｒｏｃｅｄｕｒｅ）などに必要なシステム情報を意味することができる。ＯＳＩ（ｏｔｈｅｒ  ｓｙｓｔｅｍ  ｉｎｆｏｒｍａｔｉｏｎ）は、前記ＭＩＢ、ＲＭＳＩ以外の残りのシステム情報を意味することができる。
【０２９０】
また、ＳＳ（ｓｙｎｃｈｒｏｎｉｚａｔｉｏｎ  ｓｉｇｎａｌ）は、同期信号を意味し、ＤＭ−ＲＳ（ｄｅｍｏｄｕｌａｔｉｏｎ  ｒｅｆｅｒｅｎｃｅ  ｓｉｇｎａｌ）は、データ復調用参照信号を意味し、スロットは、複数個のＯＦＤＭシンボルで構成された基本時間単位を意味することができる。
【０２９１】
＜上位階層信号によるＡＵＬ−ＵＣＩ構成方法と基地局とのＣＯＴ共有方法＞
【０２９２】
基地局がＲＲＣシグナリングのような上位階層信号を介して端末にＡＵＬバーストの最後のサブフレームまたは最後のスロットの最後のシンボルを常に満たすように（または、ＡＵＬバーストの最後のサブフレームまたは最後のスロットの最後のシンボルがシンボル＃１３に）設定した場合、ＡＵＬ−ＵＣＩの構成と基地局とのＣＯＴ共有は、下記のような方法のうち少なくとも一つにより実行されることができる。
【０２９３】
［提案方法＃１］ＡＵＬサブフレーム最後の位置情報（以下、最後の位置情報と略称できる）及び端末が開始した（ＵＥ−ｉｎｉｔｉａｔｅｄ）ＣＯＴを基地局と共有するための情報（以下、ＣＯＴ共有情報と略称できる）は、ＡＵＬ−ＵＣＩに含まない方法。
【０２９４】
この方法は、端末がＲＲＣシグナリングを介してＡＵＬバーストの最後のサブフレーム（または、スロット）の最後のシンボルが常に満たされ、または最後のシンボルが１３番目のシンボルであることを知っているため、ＡＵＬバーストの毎サブフレームまたはスロットにＡＵＬ−ＵＣＩが送信される時、該当ＡＵＬ−ＵＣＩに含まれる多様な情報のうちＡＵＬサブフレーム最後の位置情報及び端末が開始したＣＯＴを基地局と共有するための情報を含ませない方法である。
【０２９５】
［提案方法＃２］端末が開始したＣＯＴを基地局と共有するための情報は、ＡＵＬ−ＵＣＩに含めずに、ＡＵＬサブフレーム最後の位置情報は、該当サブフレームがＡＵＬバーストの最後のサブフレームかどうかを指示（ｉｎｄｉｃａｔｉｏｎ）するときに活用する方法。
【０２９６】
この方法は、ＲＲＣシグナリングを介してＡＵＬバーストの最後のサブフレームまたはスロットの最後のシンボルが常に満たされ、または最後のシンボルが１３番目のシンボルであることを知っているため、ＡＵＬサブフレーム最後の位置情報を基地局に該当サブフレームがＡＵＬバーストの最後のサブフレームかどうかを知らせるときに使用し、端末が開始した（ＵＥ−ｉｎｉｔｉａｔｅｄ）ＣＯＴを基地局と共有することができないため、‘端末が開始したＣＯＴを基地局と共有するための情報’は、ＡＵＬ−ＵＣＩに含ませない方法である。
【０２９７】
［提案方法＃３］ＡＵＬサブフレーム最後の位置情報（最後の位置情報）は、ＡＵＬ−ＵＣＩに含めずに、端末が開始したＣＯＴを基地局と共有するための情報（ＣＯＴ共有情報）は、該当サブフレームがＡＵＬバーストの最後のサブフレームかどうかを指示するときに活用する方法。
【０２９８】
この方法は、最後の位置情報はＲＲＣシグナリングを介して知っているため、ＡＵＬ−ＵＣＩに含ませずに、ＣＯＴ共有情報をＡＵＬバーストの最後のサブフレームかどうかを指示するときに使用する方法である。
【０２９９】
例えば、ＣＯＴ共有情報が‘１’（または、‘０’）である場合、該当サブフレームからＸ（例えば、Ｘ＝１のような値に事前に定義され、またはＲＲＣシグナリングに設定されることができる）サブフレーム以後がＡＵＬバーストの最後のサブフレームかを知らせることができる。
【０３００】
［提案方法＃４］ＡＵＬサブフレーム最後の位置情報（最後の位置情報）を該当サブフレームがＡＵＬバーストの最後のサブフレームかどうかを指示するときに活用し、またはＣＯＴ共有情報を該当サブフレームがＡＵＬバーストの最後のサブフレームかどうかを指示するときに活用する方法。
【０３０１】
この方法は、ＲＲＣシグナリングを介してＡＵＬバーストの最後のサブフレームまたはスロットの最後のシンボルが常に満たされ、または最後のシンボルが１３番目のシンボルであることを知っているため、最後の位置情報を該当サブフレームがＡＵＬバーストの最後のサブフレームかどうかを指示するときに活用し、またはＣＯＴ共有情報を該当サブフレームがＡＵＬバーストの最後のサブフレームかどうかを指示するときに活用する方法である。
【０３０２】
例えば、ＣＯＴ共有情報が‘１’（または、‘０’）である場合、該当サブフレームからＸ（例えば、Ｘ＝１のような値に事前に定義され、またはＲＲＣシグナリングに設定されることができる）サブフレーム以後がＡＵＬバーストの最後のサブフレームかを知らせることができる。
【０３０３】
基地局は、ＡＵＬバースト送信と関連して端末に下記のような二つを上位階層信号（例えば、ＲＲＣシグナリング）を介して設定できる。
【０３０４】
（１）ＡＵＬバーストの最後のサブフレームまたはスロットの最後のシンボルが常に満たされ、または最後のシンボルが１３番目であることを設定。
【０３０５】
（２）端末が開始したＣＯＴを基地局と共有する時、ＡＵＬバーストの最後のサブフレームからＸ（例えば、Ｘ＝２のような値に事前に定義され、またはＲＲＣシグナリングに設定されることができる）サブフレーム以後がＡＵＬバーストの最後のサブフレームかを知らせるように設定。
【０３０６】
［提案方法＃５］前記記述された二つの信号のうち、（１）ＡＵＬバーストの最後のサブフレームまたはスロットの最後のシンボルが常に満たされ、そして（２）の信号は、設定されない場合、ＡＵＬ  ＵＣＩ内の最後の位置情報及びＣＯＴ共有情報を特定ビット値（例えば、全て０または１）に固定させて満たす方法。
【０３０７】
この方法は、ＲＲＣシグナリングのような上位階層信号を介してＡＵＬバーストの最後のサブフレームまたはスロットの最後のシンボルが常にみたされることが設定されている場合、ＣＯＴ共有情報を端末がＡＵＬ  ＵＣＩを介して基地局に知らせない。したがって、ＡＵＬ−ＵＣＩ内に最後の位置情報とＣＯＴ共有情報が含まれるビットフィールドに特定ビット値（例えば、全て０または１）に固定されたビットを満たしてＡＵＬ  ＵＣＩサイズを一定に維持する方法である。
【０３０８】
［提案方法＃６］前記記述された二つの信号のうち、（１）ＡＵＬバーストの最後のサブフレームまたはスロットの最後のシンボルのみが１３番目のシンボルに設定され、そして（２）の信号は、設定されない場合、ＡＵＬ  ＵＣＩ内のＣＯＴ共有情報を特定ビット値（例えば、全て０または１）に固定させて満たす方法。
【０３０９】
この方法は、ＲＲＣシグナリングのような上位階層信号を介してＡＵＬバーストの最後のサブフレームまたはスロットの最後のシンボルが常に１３番目のシンボルであることを知っている場合、ＣＯＴ共有情報を端末がＡＵＬ  ＵＣＩを介して基地局に知らせない。したがって、端末は、ＡＵＬ  ＵＣＩを介して最後のシンボルが１３番目のシンボルであるＡＵＬバーストの最後のサブフレームがどこかに対してＡＵＬサブフレーム最後の位置情報を介して指示し、ＣＯＴ共有情報が入るビットフィールドは、特定ビット値（例えば、０または１）に固定されたビットを満たしてＡＵＬ  ＵＣＩサイズを一定に維持する方法である。
【０３１０】
［提案方法＃７］前記記述された二つの信号のうち、（２）が端末に設定されており、端末が送信するトラフィックの優先順位クラス（ｐｒｉｏｒｉｔｙ  ｃｌａｓｓ）に相応するＬＢＴを介して確保したＭＣＯＴの全てのサブフレームを介してＰＵＳＣＨを送信する場合、ＡＵＬバーストの最後のサブフレームかを知らせるべきサブフレームで（即ち、最後のサブフレームからＸ以前サブフレーム）ＡＵＬ  ＵＣＩを介してＣＯＴ共有が不可能であることを基地局に知らせる方法。
【０３１１】
図１５は、基地局とのＣＯＴ共有可能可否を指示する例を示す。
【０３１２】
例えば、チャネルアクセス優先順位クラス（Ｃｈａｎｎｅｌ  Ａｃｃｅｓｓ  Ｐｒｉｏｒｉｔｙ  Ｃｌａｓｓ）が３であり、Ｔｕｌｍｃｏｔｐが６ｍｓであり、Ｘ＝２で端末に設定された場合、図１５の（ａ）のようにＡＵＬバーストのうち５個のサブフレームでＰＵＳＣＨを送信した場合、最後のサブフレーム１５１で基地局とＣＯＴ共有が可能である。設定を受けたＸ値によって、ＡＵＬバーストの最後のサブフレーム１５１から２番目のサブフレーム前にある４番目のサブフレーム１５２のＡＵＬ  ＵＣＩ内のＣＯＴ共有指示ビットを１で満たして送信できる。この場合、基地局は、残ったＣＯＴで２５ｕｓ  ＬＢＴ後に最大２−シンボルＰＤＣＣＨ送信をすることができる。
【０３１３】
図１５の（ｂ）では、６個のサブフレームをＰＵＳＣＨ送信に使用して基地局と共有する十分のＣＯＴが存在しない。このような場合は設定を受けたＸ値によって、ＡＵＬバーストの最後のサブフレーム１５４から２番目前である４番目のサブフレーム１５３のＡＵＬ  ＵＣＩ内のＣＯＴ共有指示ビットを０で満たして基地局にＣＯＴ共有をすることができないことを知らせることができる。
【０３１４】
図１６は、ＰＵＳＣＨ開始位置による基地局とのＣＯＴ共有指示方法の例を示す。
【０３１５】
ＡＵＬバースト開始サブフレームでＰＵＳＣＨ送信の開始位置（ｓｔａｒｔｉｎｇ  ｐｏｓｉｔｉｏｎ）と関連して、サブフレーム内で等間隔に構成された複数個の送信開始時点の集合が存在し、実際その集合内のどの送信開始時点からＰＵＳＣＨを送信するかは、ＲＲＣのような上位階層信号または端末の任意選択により決定される方式が使われることができる。
【０３１６】
具体的に、ＡＵＬが全体帯域（ｆｕｌｌ  ＢＷ）を介した送信である場合、端末が複数送信開始時点の中からランダム（ｒａｎｄｏｍ）に一つをＰＵＳＣＨ開始位置に選択し、部分帯域（ｐａｒｔｉａｌ  ＢＷ）を介した送信である場合、ＲＲＣのような上位階層信号に設定された集合内の一つの開始位置でＰＵＳＣＨを送信することができる。
【０３１７】
図１６のようにＭＣＯＴの全てのサブフレームを介してＰＵＳＣＨを送信した場合にＡＵＬバーストの１番目のサブフレーム境界（ｂｏｕｎｄａｒｙ）でＰＵＳＣＨ送信開始位置から発生したギャップ（Ｇａｐ）が、ＡＵＬバーストの最後のサブフレームの最後のシンボルで基地局がＣＯＴ共有のために必要な‘１  ＯＳ−２５ｕｓ’（ここで、‘１  ＯＳ’は、一つのＯＦＤＭシンボルにかかる時間）より大きい場合、基地局は、残ったＣＯＴを活用して最大１−シンボルＰＤＣＣＨを送信することができる。
【０３１８】
即ち、端末がＭＣＯＴ内の全てのサブフレームを介してＰＵＳＣＨを送信した場合にも（１）ＡＵＬが全体帯域を介してＰＵＳＣＨ送信をする場合、複数のＰＵＳＣＨ開始位置で構成された集合から端末が一つをランダムに選択することで最初のサブフレームの開始境界でＰＵＳＣＨ送信開始時点までの時間ギャップが発生し、該当時間ギャップが、基地局がＣＯＴ区間でＰＤＣＣＨ送信のために必要なＬＢＴなどの時間を考慮した時間（例えば、‘１  ＯＳ−２５ｕｓ’）より大きい場合、ＭＣＯＴ共有が可能であり、この場合、基地局は、最大１−シンボルＰＤＣＣＨ送信が可能である。
【０３１９】
（２）ＡＵＬが部分帯域を介してＰＵＳＣＨを送信する場合、基地局は、端末に複数のＰＵＳＣＨ開始位置で構成された集合内の一つのＰＵＳＣＨ送信開始をＲＲＣのような上位階層信号を介して設定できる。同様に、最初のサブフレームの開始境界で基地局から設定を受けたＰＵＳＣＨ送信開始時点までの時間ギャップが、基地局がＣＯＴ区間でＰＤＣＣＨ送信のために必要なＬＢＴなどの時間を考慮した時間（例：‘１  ＯＳ−２５ｕｓ’）より大きい場合、ＭＣＯＴ共有が可能であり、この場合、基地局は、最大１−シンボルＰＤＣＣＨ送信が可能である。
【０３２０】
前記のような場合、基地局に残ったＣＯＴで１−シンボルＰＤＣＣＨ送信が可能であることを二つの方法を介して知らせることができる。
【０３２１】
１番目の方法は、ＡＵＬ  ＵＣＩ内のＣＯＴ共有指示ビットフィールドを２ビットに増やして３個の状態（ｓｔａｔｅ）のうち一つを知らせることができる。例えば、ＣＯＴ共有指示フィールドで（１）００：最大２−シンボルＰＤＣＣＨ送信が可能であり、（２）０１または１０：１−シンボルＰＤＣＣＨ送信が可能であり、（３）１１：ＣＯＴ共有が不可能であることを知らせることができる。
【０３２２】
２番目の方法は、ＡＵＬ  ＵＣＩ内の最後のシンボル指示フィールドを活用する方法である。最後の位置指示フィールドは、ＡＵＬバーストの最後のサブフレームで該当サブフレームがＡＵＬバーストの最後のであることを知らせ、ＣＯＴ共有指示が送信されるサブフレームが設定するＸ値の範囲は、１＜Ｘ＜５で常に１より大きいため、Ｘ値によりＣＯＴ共有指示するサブフレームでＡＵＬ  ＵＣＩの二つのフィールドを介して基地局のＰＤＣＣＨ送信のためのＭＣＯＴ共有の可能可否を指示することができる。
【０３２３】
一例として、端末は、設定されたＸ値によってＡＵＬバーストの最後のサブフレームからＸほど以前のサブフレームでＡＵＬ  ＵＣＩ内のＣＯＴ共有指示フィールドを介して基地局にＣＯＴ共有可能可否を知らせることができる。ＡＵＬ  ＵＣＩ内の（ＣＯＴ共有指示、最後の位置指示）二つのフィールドのビットを介して（１）００：ＣＯＴ共有が不可能であり、（２）１０：最大１−シンボルＰＤＣＣＨ送信が可能であり、（２）１１：最大２−シンボルＰＤＣＣＨ送信が可能であることを知らせることができる。ＣＯＴ共有指示ビットが０である場合、共有不可能であることを意味し、ＣＯＴ共有指示ビットが１であるため、ＣＯＴ共有が可能な場合に最後の位置指示フィールドを介して基地局に残ったＣＯＴ区間で最大いくつかのシンボルＰＤＣＣＨが送信可能であるかを知らせることができる。
【０３２４】
［提案方法＃８］前記記述された二つの信号のうち（２）が端末に設定された状態で、ＭＣＯＴ内の送信可能なサブフレームの総個数をＮＳＦ、ｍａｘとする時、ＣＯＴ共有のためにＮＳＦ、ｍａｘ個のサブフレームを全て使用してＡＵＬ  ＰＵＳＣＨを送信することを許容せずに、常に‘ＮＳＦ、ｍａｘ−１’個以下のサブフレームを介してのみＡＵＬ  ＰＵＳＣＨを送信し、基地局に設定を受けたサブフレームでＣＯＴ共有を知らせる方法。
【０３２５】
ただし、前記提案方法は、ＭＣＯＴ≧≧Ｘである条件を満たす優先順位クラス（Ｐｒｉｏｒｉｔｙ  ｃｌａｓｓ）にのみ限定されて適用されることもできる。
【０３２６】
図１５のように総６個のＡＵＬバーストを送信することができ、Ｘ＝２の設定を受けた状況で、端末に図１５（ｂ）のように端末がＣＯＴ内の全てのサブフレームを介してＡＵＬ  ＰＵＳＣＨを送信することは許容せずに、図１５（ａ）のように５個のサブフレームまたは５個以下のサブフレームのみでＰＵＳＣＨ送信をするようにし、設定を受けたサブフレームでＣＯＴ共有が可能であることを基地局に知らせることができる。
【０３２７】
［提案方法＃７］と［提案方法＃８］の実施例として、Ｘが端末に設定されており、特に、ＭＣＯＴ≧≧Ｘである条件を満たす優先順位クラス（Ｐｒｉｏｒｉｔｙ  ｃｌａｓｓ）に対して、端末がＭＣＯＴ（ｍａｘｉｍｕｍ  ｃｈａｎｎｅｌ  ｏｃｃｕｐａｎｃｙ  ｔｉｍｅ）内のＮＳＦ、ｍａｘ個のサブフレームを全て使用してＰＵＳＣＨ送信をする場合は基地局にＣＯＴ共有が不可能であることを知らせ、ＮＳＦ、ｍａｘ−１個以下のサブフレームを使用してＰＵＳＣＨ送信をする場合はＣＯＴ共有が可能であることを基地局に知らせることができる。
【０３２８】
［提案方法＃７］と［提案方法＃８］の他の実施例として、Ｘが端末に設定されており、ＭＣＯＴ≧≧Ｘである条件を満たす優先順位クラスに対して、端末がＭＣＯＴ内で送信可能な最大サブフレーム個数であるＮＳＦ、ｍａｘ個を使用してＰＵＳＣＨを送信することを許容せずに、常にＮＳＦ、ｍａｘ−１個以下のサブフレームを介してのみＰＵＳＣＨを送信するようにし、基地局に設定を受けたサブフレームでＣＯＴ共有を知らせることができる。ただし、Ｘが設定されていない、またはＭＣＯＴ≧≧Ｘを満たさない優先順位クラスに対しては前記提案方法の制約なしで常に最大ＮＳＦ、ｍａｘ個までＡＵＬ  ＰＵＳＣＨ送信が可能である。
【０３２９】
［提案方法＃９］端末が、基地局のＭＣＯＴ外で部分帯域を介して基地局が設定した送信開始時点でＭＣＯＴ内の送信可能なサブフレームの総個数（ＮＳＦ、ｍａｘ）を全て使用してＡＵＬ  ＰＵＳＣＨを送信する場合、基地局がＣＯＴ共有を介して端末のＭＣＯＴ内で最大１−シンボルＰＤＣＣＨを送信する方法。
【０３３０】
前記提案方法は、ＭＣＯＴ≧≧Ｘである条件を満たす優先順位クラスにのみ限定されて適用されることもできる。
【０３３１】
端末が部分帯域を介してＡＵＬを送信する場合は、基地局が前記端末に上位階層信号に設定した特定開始位置でＡＵＬバースト送信を開始するようになる。この場合、基地局は、送信されたＡＵＬ−ＵＣＩを介して端末のＩＤを知ることができ、該当端末に設定したＡＵＬバースト送信開始地点を正確に知ることができる。したがって、基地局は、前記端末に設定した開始位置に基づいて最初のサブフレームの開始境界でＰＵＳＣＨ送信開始時点までの時間ギャップとその時間ギャップが、基地局がＣＯＴ区間でＰＤＣＣＨ送信のために必要なＬＢＴなどの時間を考慮した時間（１  ＯＳ−２５ｕｓ）より大きい場合、ＭＣＯＴ共有が可能であると判断して最大１−シンボルＰＤＣＣＨ送信をすることができる。
【０３３２】
［提案方法＃１０］端末が、基地局のＭＣＯＴ外で全体帯域を介して基地局が設定した複数の送信開始時点集合のうち一地点でＭＣＯＴ内の送信可能なサブフレームの総個数（ＮＳＦ、ｍａｘ）を全て使用してＡＵＬ送信する場合、基地局がＣＯＴ共有を介して端末のＭＣＯＴ内で最大１−シンボルＰＤＣＣＨを送信する方法。
【０３３３】
前記提案方法は、ＭＣＯＴ≧≧Ｘである条件を満たす優先順位クラスにのみ限定されて適用されることもできる。
【０３３４】
端末が全体帯域を介してＡＵＬを送信する場合は、基地局が前記端末に上位階層信号に設定した複数個の開始位置集合から端末任意に一つを選択して送信を開始することができる。この場合、基地局は、端末の開始位置を正確に知ることはできないが、設定した開始位置集合で最も早い開始位置値によって前記端末のＣＯＴ内で最大１−シンボルＰＤＣＣＨを送信することができるかどうかを判断することができる。
【０３３５】
基地局は、前記端末に設定した開始位置集合内の最も早い開始位置値に基づいて最初のサブフレームの開始境界で最も早い開始位置でＰＵＳＣＨを送信した時に発生する時間ギャップと前記時間ギャップが‘基地局がＣＯＴ区間でＰＤＣＣＨ送信のために必要なＬＢＴなどの時間を考慮した時間（１  ＯＳ−２５ｕｓ）’より大きい場合、ＭＣＯＴ共有が可能であると判断して最大１−シンボルＰＤＣＣＨ送信をすることができる。
【０３３６】
前記［提案方法＃７］、［提案方法＃９］、そして［提案方法＃１０］で図１５（ｂ）のように、端末が、自分のＭＣＯＴを最大限活用してＰＵＳＣＨを送信し、残ったＣＯＴを基地局と共有しようとする時、ＵＬ／ＤＬスイッチングに必要な時間ギャップ２５ｕｓがＭＣＯＴに含まれる場合、端末のＡＵＬバースト開始時点が｛ＯＳ＃１｝である時のみ、即ち、最初のシンボルが全部空けられる時にのみ残ったＣＯＴが基地局と共有が可能であり、基地局は、最大１−シンボルＰＤＣＣＨを送信することができる。ＵＬ／ＤＬスイッチングに必要な時間ギャップ２５ｕｓが端末のＭＣＯＴに含まれない場合、端末のＡＵＬバースト送信開始時点が｛５２、６１、ＯＳ＃１｝のうち一地点の場合にのみ残ったＣＯＴを基地局と共有可能であり、基地局は、最大１−シンボルＰＤＣＣＨを送信することができる。前記各々で明示した開始時点外で端末のＡＵＬバースト送信を開始する場合、残ったＣＯＴで基地局の１−シンボルＰＤＣＣＨ送信は、端末のＭＣＯＴを超過するため、ＣＯＴ共有が許容されない。
【０３３７】
＜ＡＵＬ−ＤＦＩ（ｄｏｗｎｌｉｎｋ  ｆｅｅｄｂａｃｋ  ｉｎｆｏｒｍａｔｉｏｎ）内のＨＡＲＱ−ＡＣＫフィードバック情報ベースのＣＷＳ調節方法＞
【０３３８】
以下、基地局がＡＵＬ−ＤＦＩを介して端末にＰＵＳＣＨ送信結果をフィードバックする時、該当ＡＵＬ−ＤＦＩ内のＨＡＲＱ−ＡＣＫ情報によって端末のＣＷＳ（ｃｏｎｔｅｎｔｉｏｎ  ｗｉｎｄｏｗ  ｓｉｚｅ）調節する方法に対して提案する。
【０３３９】
Ｎ番目のサブフレームでＵＬグラントまたはＡＵＬ−ＤＦＩを受信した時、参照（ｒｅｆｅｒｅｎｃｅ）サブフレームは、Ｎ−４またはＮ−４以前の最も最後のＵＬバーストのうち１番目のサブフレームである。
【０３４０】
端末がランダムバックオフ（ｒａｎｄｏｍ−ｂａｃｋｏｆｆ）ベースのカテゴリ４ＬＢＴ（または、タイプ１チャネルアクセス手順）を介してＰＵＳＣＨ送信を実行する時、（１）ＵＬグラントを受信した場合、端末のＣＷＳ調節は、ＵＬグラント内の少なくとも一つのＨＡＲＱプロセスと関連した参照サブフレームに対応されるＨＡＲＱ  ＩＤ（以下、ＨＡＲＱ＿ＩＤ＿ｒｅｆという）のＮＤＩ値によって決定されることができる。ＮＤＩ値がトグル（ｔｏｇｇｌｅ）された場合、新しいデータと見なして全ての優先順位クラス別ＣＷ（以下、ＣＷｐという、そしてｐ∈｛１、２、３、４｝）を該当優先順位クラスに対応される最小ＣＷ（以下、ＣＷｍｉｎ、ｐという）にリセット（ｒｅｓｅｔ）し、そうでない場合、ＮＡＣＫがフィードバックされたと見なしてＣＷｐを該当優先順位クラスに対応される一ステップ高いＣＷ値に調節できる。
【０３４１】
一方、（２）ＡＵＬ−ＤＦＩを受信した場合は、ＵＬグラントなしでＰＵＳＣＨ送信が行われるため、基地局からＡＵＬ−ＤＦＩを介してＨＡＲＱ−ＡＣＫフィードバックを受信し、端末は、該当ＡＵＬ−ＤＦＩ内にＨＡＲＱ＿ＩＤ＿ｒｅｆのＨＡＲＱ−ＡＣＫフィードバック結果によってＣＷＳを調節することができる。
【０３４２】
即ち、該当参照サブフレームに対応されるＨＡＲＱプロセスＩＤのフィードバック結果がＡＣＫである場合、ＣＷをＣＷｍｉｎ、ｐにリセットし、ＮＡＣＫである場合、ＣＷｐを該当優先順位クラスに対応される一ステップ高いＣＷ値に調整する。
【０３４３】
ＡＵＬ−ＤＦＩ内にはＨＡＲＱ−ＡＣＫビットマップフィールドが存在し、ビットマップの１ビットが各々のＵＬ  ＨＡＲＱ−プロセスのＨＡＲＱ−ＡＣＫ結果を意味することができ、ＡＵＬ  ＴＭ１（ｔｒａｎｓｍｉｓｓｉｏｎ  ｍｏｄｅ１）の場合は総１６ビットで構成され、ＡＵＬ  ＴＭ２（ｔｒａｎｓｍｉｓｓｉｏｎ  ｍｏｄｅ２、２ＴＢ送信である）の場合は３２ビットで構成されることができる。
【０３４４】
また、ＡＵＬ−ＤＦＩには追加的にＡＵＬに設定されないＨＡＲＱプロセスに対するＨＡＲＱ−ＡＣＫフィードバック情報が含まれることができ、もし、ＳＵＬがＴＭ２に設定され、ＡＵＬは、ＴＭ１に設定された場合、ＡＵＬ−ＤＦＩのＡＵＬに設定されないＨＡＲＱプロセスに対応されるＨＡＲＱ−ＡＣＫは、空間バンドリング（ｓｐａｔｉａｌ  ｂｕｎｄｌｉｎｇ）されることができる。
【０３４５】
以下、図１７乃至図１９及び該当説明で、ＳＵＬがＴＭ２（一つのＴＴＩ内で２個のトランスポートブロックを送信することができるモード）に設定され、ＡＵＬがＴＭ１（一つのＴＴＩ内で一つのトランスポートブロックを送信することができるモード）に設定された場合である。
【０３４６】
図１７は、非免許帯域で、端末がＡＵＬ送信及びＳＵＬ送信を実行する動作を例示する。
【０３４７】
図１７を参照すると、基地局は、ＬＢＴ過程（チャネルアクセス手順）を経て（Ｓ１７１）、ＬＢＴ過程に成功すると、端末にＡＵＬ活性化及び／またはＡＵＬ設定情報を提供することができる（Ｓ１７２）。
【０３４８】
基地局は、ＵＬグラント送信のためのＬＢＴ過程を実行し（Ｓ１７３）、ＬＢＴ過程に成功すると、前記端末にＵＬグラントを送信することができる（Ｓ１７４）。
【０３４９】
端末は、ＬＢＴ過程を実行し（Ｓ１７５）、ＬＢＴ過程に成功すると、ＳＵＬ送信、即ち、前記ＵＬグラントに基づくＰＵＳＣＨ送信を実行することができる（Ｓ１７６）。
【０３５０】
端末は、ＬＢＴ過程を実行し（Ｓ１７７）、ＬＢＴ過程に成功すると、ＡＵＬ送信、即ち、ＵＬグラントに基づいていないＰＵＳＣＨ送信を実行することができる（Ｓ１７８）。
【０３５１】
基地局は、ＬＢＴ過程を実行し（Ｓ１７９）、ＬＢＴ過程に成功すると、ＡＵＬ−ＤＦＩを送信する（Ｓ１８０）。前記ＡＵＬ−ＤＦＩは、前記ＡＵＬ送信に対するＡＣＫ／ＮＡＣＫ及び前記ＳＵＬ送信に対するＡＣＫ／ＮＡＣＫを含むことができる。ＡＵＬ−ＤＦＩは、ＤＣＩフォーマットを介して送信されることができる。
【０３５２】
前述したように、ＡＵＬ−ＤＦＩは、ＨＡＲＱ−ＡＣＫビットマップフィールドを含むことができ、前記ＨＡＲＱ−ＡＣＫビットマップは、例えば、１６ビットまたは３２ビットで構成されることができる。これはＡＵＬ送信の送信モードが一つのＴＴＩ（例えば、サブフレーム）内で一つのトランスポートブロック（等価的にコードワード）のみ送信されるＴＭ１（ｔｒａｎｓｍｉｓｓｉｏｎ  ｍｏｄｅ１）である場合は１６ビットで構成され、ＡＵＬの送信モードが一つのＴＴＩ内で２個のトランスポートブロック（２個のコードワード）が送信されるＴＭ２（ｔｒａｎｓｍｉｓｓｉｏｎ  ｍｏｄｅ２）である場合は３２ビットで構成されることができる。
【０３５３】
ＨＡＲＱ−ＡＣＫビットマップの各ビットは、互いに異なるＨＡＲＱプロセスに関連したものである。例えば、前記ＳＵＬ送信は第１のＨＡＲＱプロセス（ＨＡＲＱプロセスＩＤ＃１）に関連して、前記ＡＵＬ送信は第２のＨＡＲＱプロセス（ＨＡＲＱプロセスＩＤ＃２）に関連すると仮定する。この場合、前記ＨＡＲＱ−ＡＣＫビットマップの第１のビットは、前記第１のＨＡＲＱプロセスに対するＡＣＫ／ＮＡＣＫを示し、第２のビットは、前記第２のＨＡＲＱプロセスに対するＡＣＫ／ＮＡＣＫを示すことができる。
【０３５４】
非免許帯域では基地局のＡＵＬ−ＤＦＩ送信機会が制限的であるため、前述したようにＡＵＬ送信及びＳＵＬ送信に対するＡＣＫ／ＮＡＣＫを共に送信できる。
【０３５５】
ＡＵＬ−ＤＦＩに、ＡＵＬに設定されたＨＡＲＱ（ＩＤ）及び／またはＡＵＬに設定されないＨＡＲＱ（即ち、ＳＵＬ）（ＩＤ）に対するＡＣＫ／ＮＡＣＫ情報を全て含ませる理由は、端末のコンテンションウィンドウ大きさ（ＣＷＳ）調整を容易にするためである。ＳＵＬの場合、ＵＬグラントに基づいてＣＷＳを調整するようになり、再送信のためのＵＬグラントがＬＢＴ失敗によって遅延送信されるようになると、端末のＣＷＳ更新（ｕｐｄａｔｅ）が遅延されるようになり、このような点を考慮してＡＵＬ−ＤＦＩに含まれているＳＵＬ  ＨＡＲＱ−ＡＣＫ（ＡＣＫ／ＮＡＣＫ情報）結果を追加的に参考して端末のＣＷＳ調整をすることができるようにする。ＡＵＬ−ＤＦＩに含まれているＳＵＬに対するＨＡＲＱ−ＡＣＫ（ＡＣＫ／ＮＡＣＫ情報）は、実際再送信とは関係なくＣＷＳ調整にのみ使われることができる。
【０３５６】
一方、図１７の例において、ＳＵＬ送信は、送信モード２に設定され、ＡＵＬ送信は、送信モード１に設定されることもできる。この場合、ＨＡＲＱ−ＡＣＫビットマップは、１６ビットで構成され、ＳＵＬ送信で一つのＴＴＩ内の２個のトランスポートブロック（２個のコードワード）に対するＡＣＫ／ＮＡＣＫは、空間バンドリングされた後、前記ＨＡＲＱ−ＡＣＫビットマップの特定ビット（前記ＳＵＬ送信のＨＡＲＱプロセス（ＩＤ）に対応されるビット）を介して送信される。このとき、前記特定ビットがＡＣＫとＮＡＣＫのうちいずれかで送信されるかによって、以後のＬＢＴ過程（チャネルアクセス手順）のコンテンションウィンドウ大きさが異なるように設定される。このような場合、下記の提案方法＃１１のような空間バンドリング方法を適用することを提案する。
【０３５７】
［提案方法＃１１］ＡＵＬ−ＤＦＩに、ＡＵＬに設定されないＨＡＲＱプロセスに対応されるＨＡＲＱ−ＡＣＫが空間バンドリングされて構成される時、空間バンドリングは、少なくとも一つのトランスポートブロック（ｔｒａｎｓｐｏｒｔ  ｂｌｏｃｋ：ＴＢ）がＡＣＫである場合はＡＣＫで、そして、全てのＴＢがＮＡＣＫである場合にのみＮＡＣＫでＡＵＬ−ＤＦＩに構成される。即ち、論理的ＯＲ演算により空間バンドリングすることを提案する。
【０３５８】
送信モード２（ＴＭ２）で端末のＣＷＳ調節は、二つのＴＢが全てＮＡＣＫである場合にのみＣＷｐを該当優先順位クラスに対応される一ステップ高いＣＷ値（表５参照）に調整する。したがって、ＡＵＬ−ＤＦＩに、ＡＵＬに設定されないＨＡＲＱプロセスに対するＨＡＲＱ−ＡＣＫ情報を含ませる時も、該当原則が守られるように適切に空間バンドリングを実行しなければならない。
【０３５９】
即ち、ＡＵＬに設定されないＨＡＲＱプロセスが送信モード２（ＴＭ２）に設定されており、該当ＨＡＲＱ−ＡＣＫ結果を空間バンドリングする時、少なくとも一つのＴＢがＡＣＫである場合はＡＣＫで、そして、二つのＴＢに対するＨＡＲＱフィードバック結果が全てＮＡＣＫである場合にのみＮＡＣＫで、ＡＵＬ−ＤＦＩ  ＨＡＲＱ−ＡＣＫビットマップを構成する。
【０３６０】
そのとき、前記（２）で記述したように、ＡＵＬ−ＤＦＩを受信した場合の該当参照サブフレームに対応されるＨＡＲＱプロセスＩＤのフィードバック結果によって、ＡＣＫである場合は、コンテンションウィンドウ（ＣＷ）をＣＷｍｉｎ、ｐにリセットし、ＮＡＣＫである場合は、ＣＷｐを該当優先順位クラスに対応される一ステップ高いＣＷ値に調整することができる。
【０３６１】
図１８は、提案方法＃１１による端末動作を示す。
【０３６２】
図１８を参照すると、端末がＡＵＬによるデータ（第１のデータ）及びＳＵＬによるデータ（第２のデータ）を基地局に送信する（Ｓ１８１０）。端末は、非免許帯域で前記第１のデータ及び第２のデータを基地局に送信できる。
【０３６３】
前述したように、自律的アップリンク送信（Ａｕｔｏｎｏｍｏｕｓ  ｕｐｌｉｎｋ：ＡＵＬ）は、前記基地局からグラントを受信せずに実行するアップリンク送信であり、前記ＳＵＬは、前記基地局からグラントを受信し、受信したグラントに基づいて実行するアップリンク送信である。
【０３６４】
端末は、例えば、第１のサブフレームではＡＵＬによるデータ（第１のデータ）を送信し、第２のサブフレームではＳＵＬによるデータ（第２のデータ）を基地局に送信できる。第１のデータは、第１のＨＡＲＱプロセス（ＩＤ）に関連したデータであり、前記第２のデータは、第２のＨＡＲＱプロセス（ＩＤ）に関連したデータである。ただし、各データ送信前にＬＢＴ過程を実行して成功したと仮定する。ＬＢＴ過程は、前述したように、特定時間区間（Ｔｄ）の間にチャネルをセンシングし、前記特定時間区間の間に前記チャネルがアイドル（ｉｄｌｅ）であり、ランダムバックオフカウンタの値が０である場合、前記チャネルを介してデータを基地局に送信する過程である。これに対しては既に詳細に説明した通りである。前記ＡＵＬは、送信モード１（即ち、一つのＴＴＩ内に一つのＴＢ（コードワード）送信可能）、前記ＳＵＬは、送信モード２（即ち、一つのＴＴＩ内に２個のＴＢ（２個のコードワード）送信可能）に設定されることができ、以下、ＡＵＬ／ＳＵＬに対してこの状態を仮定する。
【０３６５】
端末は、ＡＵＬによるデータに対するＡＣＫ／ＮＡＣＫ情報（第１のＡＣＫ／ＮＡＣＫ情報）及びＳＵＬによるデータに対するＡＣＫ／ＮＡＣＫ情報（第２のＡＣＫ／ＮＡＣＫ情報）をＡＵＬ−ＤＦＩ（ＨＡＲＱ−ＡＣＫビットマップ）を介して受信する（Ｓ１８２０）。前記ＨＡＲＱ−ＡＣＫビットマップの第１のビットは、前記第１のデータに対する第１のＡＣＫ／ＮＡＣＫ情報を指示し、第２のビットは、前記第２のデータに対する第２のＡＣＫ／ＮＡＣＫ情報を指示することができる。ＡＵＬ−ＤＦＩは、ＤＣＩフォーマットを介して受信することができる。
【０３６６】
このとき、ＡＵＬに設定されないＨＡＲＱプロセスに対応されるＡＣＫ／ＮＡＣＫ情報（即ち、ＳＵＬによるデータに対するＡＣＫ／ＮＡＣＫ）は、空間バンドリングされて前記ＨＡＲＱ−ＡＣＫビットマップの特定ビットに含まれる。この場合、前記空間バンドリングは、論理的ＯＲに基づいて実行される。例えば、ＡＵＬによるデータが一つのトランスポートブロックを含み、ＳＵＬによるデータが複数のトランスポートブロックを含む場合、前記複数のトランスポートブロックのうち少なくとも一つに対してＡＣＫである時は、前記第２のＡＣＫ／ＮＡＣＫ情報がＡＣＫに決められ、前記複数のトランスポートブロックの全てに対してＮＡＣＫである時は、前記第２のＡＣＫ／ＮＡＣＫ情報がＮＡＣＫに決められ、ＡＵＬ−ＤＦＩ内のＨＡＲＱ−ＡＣＫビットマップフィールドを介して受信されることができる。例えば、基地局は、該当ＴＴＩ内の各トランスポートブロック（等価的にコードワード）単位でＡＣＫまたはＮＡＣＫを生成した後、空間バンドリングを介して最終的に一つのＡＣＫまたはＮＡＣＫを前記ＴＴＩに対するＡＣＫ／ＮＡＣＫ情報として生成できる。例えば、ＴＴＩがサブフレーム（または、スロット）であり、一つのＴＴＩ内で複数のトランスポートブロック（例えば、２個）を受信した場合、前記サブフレーム（または、スロット）内に含まれている各トランスポートブロックのデコーディング成功可否によって（ＡＣＫ、ＡＣＫ）、（ＡＣＫ、ＮＡＣＫ）、（ＮＡＣＫ、ＡＣＫ）、（ＮＡＣＫ、ＮＡＣＫ）のようにＡＣＫ／ＮＡＣＫを生成した後、論理的ＯＲ演算による空間バンドリングを実行する。この場合、前記四つのＡＣＫ／ＮＡＣＫ場合に対して論理的ＯＲ演算をすると、順にＡＣＫ、ＡＣＫ、ＡＣＫ、ＮＡＣＫが生成され、これがＨＡＲＱ−ＡＣＫビットマップフィールドの特定ビット（前記ＴＴＩで実行されるＨＡＲＱプロセスに対応するビット）を介して送信されることができる。前記ＡＵＬ−ＤＦＩに含まれている前記第２のＡＣＫ／ＮＡＣＫ情報は、ＨＡＲＱ（Ｈｙｂｒｉｄ  ａｕｔｏｍａｔｉｃ  ｒｅｐｅａｔ  ｒｅｑｕｅｓｔ）動作に使われずに、前記コンテンションウィンドウ大きさ調整に使われる情報である。
【０３６７】
端末は、ＡＵＬ−ＤＦＩに基づいてコンテンションウィンドウ大きさを調整する（Ｓ１８３０）。前述したように、コンテンションウィンドウ大きさ（ＣＷＳ）は、前記端末のチャネルアクセス手順（ｃｈａｎｎｅｌ  ａｃｃｅｓｓ  ｐｒｏｃｅｄｕｒｅ：ＣＡＰ）に使われるカウンタの初期値決定に関連することができる。
【０３６８】
端末は、前記第１のデータに対するＡＣＫ／ＮＡＣＫ情報及び前記第２のデータにＡＣＫ／ＮＡＣＫ情報のうち少なくとも一つを利用してコンテンションウィンドウ大きさを調整することができる。例えば、前記ＳＵＬによるデータ（第２のデータ）が特定ＨＡＲＱプロセス（第２のＨＡＲＱプロセス）に対するものであり、前記ＳＵＬによるデータに対するＡＣＫ／ＮＡＣＫ情報がＨＡＲＱ−ＡＣＫビットマップでＮＡＣＫで空間バンドリングされて受信される場合、前記特定ＨＡＲＱプロセスに関連したコンテンションウィンドウ大きさ（ＣＷＳ）を増加させる。例えば、表５を参照すると、チャネルアクセス優先順位クラスｐ＝３であり、例えば、現在コンテンションウィンドウ大きさが１５である場合、３１に増加させる（現在コンテンションウィンドウ大きさが３１である場合、６３に増加）。前記第２のデータに対するＡＣＫ／ＮＡＣＫ情報が空間バンドリングされたＡＣＫである場合、前記第２のＨＡＲＱプロセスに関連したコンテンションウィンドウ大きさを最小値にリセット（ｒｅｓｅｔ）できる。
【０３６９】
図１９は、提案方法＃１１によってコンテンションウィンドウ大きさを調整する例を示す。
【０３７０】
図１９を参照すると、端末は、ＨＡＲＱプロセスＩＤ＃０を有するＨＡＲＱプロセスに対して送信モード２の設定を受けることができる。また、前記端末は、ＡＵＬ送信も設定を受けたと仮定する。端末がＵＬグラントによりスケジューリングを受けた２個のトランスポートブロック（２個のコードワード）を特定サブフレームで基地局に送信できる。２個のトランスポートブロックをＴＢ１、ＴＢ２とする。
【０３７１】
この場合、図１９（ａ）のように、基地局がＴＢ１に対してはデコーディングを成功し、ＡＣＫ、ＴＢ２に対してはデコーディングに失敗してＮＡＣＫを生成することができる。この場合、基地局は、前記ＡＣＫ、ＮＡＣＫを論理的ＯＲ演算による空間バンドリングを実行してＡＣＫを生成することができる。その後、ＨＡＲＱ−ＡＣＫビットマップでＨＡＲＱプロセスＩＤ＃０に対応するビット（例えば、ビット＃０）を介してＡＣＫを送信することができる。
【０３７２】
端末は、二つのＴＢ送信に対してＡＣＫを受信したため、コンテンションウィンドウ大きさを増加させる必要なしで最小値にリセットさせることができる。前記最小値は、表５に示すように、チャネルアクセス優先順位クラスｐによって独立的に設定されることができる。
【０３７３】
または、図１９（ｂ）のように、基地局がＴＢ１に対してデコーディングを失敗してＮＡＣＫを生成し、ＴＢ２に対してもデコーディングに失敗してＮＡＣＫを生成することができる。この場合、基地局は、前記ＮＡＣＫ、ＮＡＣＫを論理的ＯＲ演算による空間バンドリングを実行してＮＡＣＫを生成することができる。その後、ＨＡＲＱ−ＡＣＫビットマップでＨＡＲＱプロセスＩＤ＃０に対応するビット（例えば、ビット＃０）を介してＮＡＣＫを送信することができる。
【０３７４】
端末が送信した２個のＴＢの全てに対して基地局がデコーディングに失敗した理由は、前記端末のＴＢの送信時に他のノード（例えば、Ｗｉ−ＦｉによるＡＰやＳＴＡ）が同時に送信を実行して干渉を起こした可能性が高い。このような環境ではコンテンションウィンドウ大きさを増加させて衝突確率を減少させる。
【０３７５】
それに対して、端末が送信した２個のＴＢのうち少なくとも一つに対して基地局がデコーディングに成功した場合は、前記端末のＴＢの送信時に他のノードが同時送信して干渉を起こした確率は低いし、一般的なデコーディングエラーが発生した可能性が高い。したがって、このような場合は、コンテンションウィンドウ大きさを増加させる必要がないため、コンテンションウィンドウ大きさをリセットする。
【０３７６】
追加的に、ＡＵＬに設定されたＵＬサブフレームがＵＬグラントによりＳＵＬに送信される場合にも同様に前記提案方法が適用されることができる。一例として、ＴＭ１  ＡＵＬに設定されたＵＬサブフレームがＵＬグラントによりＴＭ２  ＳＵＬに送信される場合、該当サブフレームに対応されるＨＡＲＱプロセスがＡＵＬ−ＤＦＩ  ＨＡＲＱ−ＡＣＫビットマップに含まれる時は、該当サブフレームで送信されたＴＢのうち少なくとも一つがＡＣＫである場合にＡＣＫで空間バンドリングし、全てのＴＢがＮＡＣＫである場合にのみＮＡＣＫで空間バンドリングして構成することでＣＷＳ調節を実行することができる。
【０３７７】
本発明の内容は、端末と基地局との間のアップリンク、またはダウンリンクの通信にのみ制限されるものではなく、端末間の直接通信にも使われることができる。このとき、基地局や中継ノード（ｒｅｌａｙ  ｎｏｄｅ）などが前記提案した方法を使用することができる。
【０３７８】
前記説明した提案方式に対する一例も本発明の具現方法のうち一つとして含まれることができるため、一種の提案方式と見なされることは明白な事実である。また、前記説明した提案方式は、独立的に具現されることもできるが、一部提案方式の組み合わせ（または、併合）形態で具現されることもできる。前記提案方法の適用可否情報（または、前記提案方法の規則に対する情報）は、基地局が端末にまたは送信端末が受信端末に事前に定義されたシグナル（例、物理階層シグナルまたは上位階層シグナル）を介して知らせるように規則が定義されることができる。
【０３７９】
図２０は、本発明を実行する送信装置１８１０及び受信装置１８２０の構成要素を示すブロック図である。ここで、前記送信装置及び受信装置は、各々、基地局または端末である。
【０３８０】
送信装置１８１０及び受信装置１８２０は、情報及び／またはデータ、信号、メッセージなどを伝送する無線信号を送信または受信することができる送受信機１８１２、１８２２と、無線通信システム内の通信と関連した各種情報を格納するメモリ１８１３、１８２３、前記送受信機１８１２、１８２２及びメモリ１８１３、１８２３などの構成要素と連結され、前記構成要素を制御して該当装置が前述した本発明の実施例のうち少なくとも一つを実行するようにメモリ１８１３、１８２３及び／または送受信機１８１２、１８２２を制御するように構成された（ｃｏｎｆｉｇｕｒｅｄ）プロセッサ１８１１、１８２１を各々含むことができる。ここで、送受信機は、トランシーバとも呼ばれる。
【０３８１】
メモリ１８１３、１８２３は、プロセッサ１８１１、１８２１の処理及び制御のためのプログラムを格納することができ、入力／出力される情報を臨時格納することができる。メモリ１８１３、１８２３は、バッファとして活用されることができる。
【０３８２】
プロセッサ１８１１、１８２１は、通常的に送信装置または受信装置内の各種モジュールの全般的な動作を制御する。特に、プロセッサ１８１１、１８２１は、本発明を実行するための各種制御機能を遂行することができる。プロセッサ１８１１、１８２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などとも呼ばれる。プロセッサ１８１１、１８２１は、ハードウェア（ｈａｒｄｗａｒｅ）またはファームウェア（ｆｉｒｍｗａｒｅ）、ソフトウェア、またはそれらの結合により具現されることができる。ハードウェアを利用して本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）またはＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１８１１、１８２１に備えられる。一方、ファームウェアやソフトウェアを利用して本発明を具現する場合には本発明の機能または動作を実行するモジュール、手順または関数などを含むようにファームウェアやソフトウェアが構成されることができ、本発明を実行することができるように構成されたファームウェアまたはソフトウェアは、プロセッサ１８１１、１８２１内に備えられ、またはメモリ１８１３、１８２３に格納されてプロセッサ１８１１、１８２１により駆動されることができる。
【０３８３】
送信装置１８１０のプロセッサ１８１１は、外部に送信する信号及び／またはデータに対して所定の符号化（ｃｏｄｉｎｇ）及び変調（ｍｏｄｕｌａｔｉｏｎ）を実行した後、送受信機１８１２に送信できる。例えば、プロセッサ１８１１は、送信しようとするデータ列を逆多重化及びチャネル符号化、スクランブリング、変調過程などを経てコードワードを生成することができる。コードワードは、ＭＡＣ階層が提供するデータブロックであるトランスポートブロックと等価の情報を含むことができる。一つのトランスポートブロック（ｔｒａｎｓｐｏｒｔ  ｂｌｏｃｋ、ＴＢ）は、一つのコードワードで符号化されることができる。各コードワードは、一つ以上のレイヤを介して受信装置に送信されることができる。周波数アップ変換（ｆｒｅｑｕｅｎｃｙ  ｕｐ−ｃｏｎｖｅｒｔ）のために、送受信機１８１２は、オシレータ（ｏｓｃｉｌｌａｔｏｒ）を含むことができる。送受信機１８１２は、一つまたは複数の送信アンテナを含むことができる。
【０３８４】
受信装置１８２０の信号処理過程は、送信装置１８１０の信号処理過程の逆に構成されることができる。プロセッサ１８２１の制御下に、受信装置１８２０の送受信機１８２２は、送信装置１８１０により送信された無線信号を受信することができる。前記送受信機１８２２は、一つまたは複数個の受信アンテナを含むことができる。前記送受信機１８２２は、受信アンテナを介して受信された信号の各々を周波数ダウン変換して（ｆｒｅｑｕｅｎｃｙ  ｄｏｗｎ−ｃｏｎｖｅｒｔ）基底帯域信号に復元できる。送受信機１８２２は、周波数ダウン変換のためにオシレータを含むことができる。前記プロセッサ１８２１は、受信アンテナを介して受信された無線信号に対する復号（ｄｅｃｏｄｉｎｇ）及び復調（ｄｅｍｏｄｕｌａｔｉｏｎ）を実行することで、送信装置１８１０が元来送信しようとしたデータを復元することができる。
【０３８５】
送受信機１８１２、１８２２は、一つまたは複数個のアンテナを備えることができる。アンテナは、プロセッサ１８１１、１８２１の制御下に本発明の一実施例によって、送受信機１８１２、１８２２により処理された信号を外部に送信し、または外部から無線信号を受信して送受信機１８１２、１８２２に伝達する機能を遂行することができる。アンテナは、アンテナポートとも呼ばれる。各アンテナは、一つの物理アンテナに該当し、または一つより多い物理アンテナ要素（ｅｌｅｍｅｎｔ）の組み合わせにより構成される（ｃｏｎｆｉｇｕｒｅｄ）ことができる。各アンテナから送信された信号は、受信装置１８２０によりそれ以上分解されることができない。該当アンテナに対応して送信された参照信号（ｒｅｆｅｒｅｎｃｅ  ｓｉｇｎａｌ、ＲＳ）は、受信装置１８２０の観点で本アンテナを定義し、チャネルが一つの物理アンテナからの単一（ｓｉｎｇｌｅ）無線チャネルかまたは前記アンテナを含む複数の物理アンテナ要素（ｅｌｅｍｅｎｔ）からの合成（ｃｏｍｐｏｓｉｔｅ）チャネルかにかかわらず、前記受信装置１８２０が前記アンテナに対するチャネル推定を可能にすることができる。即ち、アンテナは、前記アンテナ上のシンボルを伝達するチャネルが前記同一アンテナ上の他のシンボルが伝達される前記チャネルから導出されるように定義されることができる。複数のアンテナを利用してデータを送受信する多重入出力（Ｍｕｌｔｉ−Ｉｎｐｕｔ  Ｍｕｌｔｉ−Ｏｕｔｐｕｔ、ＭＩＭＯ）機能をサポートするトランシーバの場合には２個以上のアンテナと連結されることができる。
【０３８６】
図２１は、送信装置１８１０内の信号処理モジュール構造の一例を示す。ここで、信号処理は、図20のプロセッサ１８１１、１８２１のような基地局／端末のプロセッサで実行されることができる。
【０３８７】
図２１を参照すると、端末または基地局内の送信装置１８１０は、スクランブラ３０１、モジュレータ３０２、レイヤマッパ３０３、アンテナポートマッパ３０４、リソースブロックマッパ３０５、信号生成器３０６を含むことができる。
【０３８８】
送信装置１８１０は、一つ以上のコードワード（ｃｏｄｅｗｏｒｄ）を送信することができる。各コードワード内の符号化されたビット（ｃｏｄｅｄ  ｂｉｔｓ）は、各々、スクランブラ３０１によりスクランブリングされて物理チャネル上で送信される。コードワードは、データ列ということができ、ＭＡＣ階層が提供するデータブロックであるトランスポートブロックと等価である。
【０３８９】
スクランブルされたビットは、モジュレータ３０２により複素変調シンボル（Ｃｏｍｐｌｅｘ−ｖａｌｕｅｄ  ｍｏｄｕｌａｔｉｏｎ  ｓｙｍｂｏｌｓ）に変調される。モジュレータ３０２は、前記スクランブルされたビットを変調方式によって変調して信号コンスタレーション（ｓｉｇｎａｌ  ｃｏｎｓｔｅｌｌａｔｉｏｎ）上の位置を表現する複素変調シンボルに配置できる。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用されることができる。モジュレータは、モジュレーションマッパ（ｍｏｄｕｌａｔｉｏｎ  ｍａｐｐｅｒ）ともいう。
【０３９０】
前記複素変調シンボルは、レイヤマッパ３０３により一つ以上の送信レイヤにマッピングされることができる。各レイヤ上の複素変調シンボルは、アンテナポート上での送信のためにアンテナポートマッパ３０４によりマッピングされることができる。
【０３９１】
リソースブロックマッパ３０５は、各アンテナポートに対する複素変調シンボルを送信のために割り当てられた仮想リソースブロック（Ｖｉｒｔｕａｌ  Ｒｅｓｏｕｒｃｅ  Ｂｌｏｃｋ）内の適切なリソース要素にマッピングすることができる。リソースブロックマッパは、前記仮想リソースブロックを適切なマッピング技法（ｍａｐｐｉｎｇ  ｓｃｈｅｍｅ）によって物理リソースブロック（Ｐｈｙｓｉｃａｌ  Ｒｅｓｏｕｒｃｅ  Ｂｌｏｃｋ）にマッピングすることができる。前記リソースブロックマッパ３０５は、前記各アンテナポートに対する複素変調シンボルを適切な副搬送波に割り当て、ユーザによって多重化できる。
【０３９２】
信号生成器３０６は、前記各アンテナポートに対する複素変調シンボル、即ち、アンテナ特定シンボルを特定変調方式、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調し、複素時間ドメイン（ｃｏｍｐｌｅｘ−ｖａｌｕｅｄ  ｔｉｍｅ  ｄｏｍａｉｎ）ＯＦＤＭシンボル信号を生成することができる。信号生成器は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を実行することができ、ＩＦＦＴが実行された時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て各送信アンテナを介して受信装置に送信される。信号生成器は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐ−ｃｏｎｖｅｒｔｅｒ）などを含むことができる。
【０３９３】
図２２は、送信装置１８１０内の信号処理モジュール構造の他の例を示す。ここで、信号処理は、図20のプロセッサ１８１１、１８２１等、端末／基地局のプロセッサで実行されることができる。
【０３９４】
図２２を参照すると、端末または基地局内の送信装置１８１０は、スクランブラ４０１、モジュレータ４０２、レイヤマッパ４０３、プリコーダ４０４、リソースブロックマッパ４０５、信号生成器４０６を含むことができる。
【０３９５】
送信装置１８１０は、一つのコードワードに対して、コードワード内の符号化されたビット（ｃｏｄｅｄ  ｂｉｔｓ）をスクランブラ４０１によりスクランブリングした後、物理チャネルを介して送信できる。
【０３９６】
スクランブルされたビットは、モジュレータ４０２により複素変調シンボルに変調される。前記モジュレータは、前記スクランブルされたビットを既決定された変調方式によって変調して信号コンスタレーション（ｓｉｇｎａｌ  ｃｏｎｓｔｅｌｌａｔｉｏｎ）上の位置を表現する複素変調シンボルに配置できる。変調方式（ｍｏｄｕｌａｔｉｏｎ  ｓｃｈｅｍｅ）には制限がなく、ｐｉ／２−ＢＰＳＫ（ｐｉ／２−Ｂｉｎａｒｙ  Ｐｈａｓｅ  Ｓｈｉｆｔ  Ｋｅｙｉｎｇ）、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用されることができる。
【０３９７】
前記複素変調シンボルは、前記レイヤマッパ４０３により一つ以上の送信レイヤにマッピングされることができる。
【０３９８】
各レイヤ上の複素変調シンボルは、アンテナポート上での送信のためにプリコーダ４０４によりプリコーディングされることができる。ここで、プリコーダは、複素変調シンボルに対するトランスフォームプリコーディング（ｔｒａｎｓｆｏｒｍ  ｐｒｅｃｏｄｉｎｇ）を実行した以後にプリコーディングを実行することもできる。または、プリコーダは、トランスフォームプリコーディングを実行せずにプリコーディングを実行することもできる。プリコーダ４０４は、前記複素変調シンボルを多重送信アンテナによるＭＩＭＯ方式に処理してアンテナ特定シンボルを出力し、前記アンテナ特定シンボルを該当リソースブロックマッパ４０５に分配できる。プリコーダ４０４の出力ｚは、レイヤマッパ４０３の出力ｙとＮ×Ｍのプリコーディング行列Ｗをかけて得ることができる。ここで、Ｎはアンテナポートの個数であり、Ｍはレイヤの個数である。
【０３９９】
リソースブロックマッパ４０５は、各アンテナポートに対する復調変調シンボルを送信のために割り当てられた仮想リソースブロック内にある適切なリソース要素にマッピングする。
【０４００】
リソースブロックマッパ４０５は、複素変調シンボルを適切な副搬送波に割り当て、ユーザによって多重化できる。
【０４０１】
信号生成器４０６は、複素変調シンボルを特定変調方式、例えば、ＯＦＤＭ方式に変調して複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号を生成することができる。信号生成器４０６は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を実行することができ、ＩＦＦＴが実行された時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て、各送信アンテナを介して受信装置に送信される。信号生成器４０６は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐ−ｃｏｎｖｅｒｔｅｒ）などを含むことができる。
【０４０２】
受信装置１８２０の信号処理過程は、送信機の信号処理過程の逆に構成されることができる。具体的に、受信装置１８２０のプロセッサ１８２１は、外部で送受信機１８２２のアンテナポート（ら）を介して受信された無線信号に対する復号（ｄｅｃｏｄｉｎｇ）及び復調（ｄｅｍｏｄｕｌａｔｉｏｎ）を実行する。前記受信装置１８２０は、複数個の多重受信アンテナを含むことができ、受信アンテナを介して受信された信号の各々は、基底帯域信号に復元された後、多重化及びＭＩＭＯ復調化を経て送信装置１８１０が元来送信しようとしたデータ列に復元される。受信装置１８２０は、受信された信号を基底帯域信号に復元するための信号復元器、受信処理された信号を結合して多重化する多重化器、多重化された信号列を該当コードワードに復調するチャネル復調器を含むことができる。前記信号復元器及び多重化器、チャネル復調器は、これらの機能を遂行する統合された一つのモジュールまたはそれぞれの独立されたモジュールで構成されることができる。より具体的に、前記信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、前記デジタル信号からＣＰを除去するＣＰ除去器、ＣＰが除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、前記周波数ドメインシンボルをアンテナ特定シンボルに復元するリソース要素デマッパ（ｒｅｓｏｕｒｃｅ  ｅｌｅｍｅｎｔ  ｄｅｍａｐｐｅｒ）／等化器（ｅｑｕａｌｉｚｅｒ）を含むことができる。前記アンテナ特定シンボルは、多重化器により送信レイヤに復元され、前記送信レイヤは、チャネル復調器により送信装置が送信しようとしたコードワードに復元される。
【０４０３】
図２３は、本発明の具現例に係る無線通信装置の一例を示す。
【０４０４】
図２３を参照すると、無線通信装置、例えば、端末は、デジタル信号プロセッサ（Ｄｉｇｉｔａｌ  Ｓｉｇｎａｌ  Ｐｒｏｃｅｓｓｏｒ；ＤＳＰ）またはマイクロプロセッサなどのプロセッサ２３１０、トランシーバ２３３５、電力管理モジュール２３０５、アンテナ２３４０、バッテリ２３５５、ディスプレイ２３１５、キーパッド２３２０、ＧＰＳ（Ｇｌｏｂａｌ  Ｐｏｓｉｔｉｏｎｉｎｇ  Ｓｙｓｔｅｍ）チップ２３６０、センサー２３６５、メモリ２３３０、ＳＩＭ（Ｓｕｂｓｃｒｉｂｅｒ  Ｉｄｅｎｔｉｆｉｃａｔｉｏｎ  Ｍｏｄｕｌｅ）カード２３２５、スピーカ２３４５、マイクロホン２３５０のうち少なくとも一つを含むことができる。前記アンテナ及びプロセッサは、複数個である。
【０４０５】
プロセッサ２３１０は、本明細書で説明した機能、手順、方法を具現することができる。図２３のプロセッサ２３１０は、図２０のプロセッサ１８１１、１８２１である。
【０４０６】
メモリ２３３０は、プロセッサ２３１０と連結され、プロセッサの動作と関連した情報を格納する。メモリは、プロセッサの内部または外部に位置し、有線連結または無線連結のような多様な技術を介してプロセッサと連結されることができる。図２３のメモリ２３３０は、図２０のメモリ１８１３、１８２３である。
【０４０７】
ユーザは、キーパッド２３２０のボタンを押さえ、またはマイクロホン２３５０を利用して声を活性化させる等、多様な技術を利用して電話番号のような多様な種類の情報を入力することができる。プロセッサ２３１０は、ユーザの情報を受信してプロセシングし、入力された電話番号に電話を掛ける等、適切な機能を遂行することができる。一部シナリオでは、データが適切な機能を遂行するために、ＳＩＭカード２３２５またはメモリ２３３０から検索されることができる。一部シナリオでは、プロセッサ２３１０は、ユーザの便宜のために、ディスプレイ２３１５に多様な種類の情報とデータを表示することができる。
【０４０８】
トランシーバ２３３５は、プロセッサ２３１０と連結され、ＲＦ（Ｒａｄｉｏ  Ｆｒｅｑｕｅｎｃｙ）信号のような無線信号を送信及び／または受信する。プロセッサは、通信を開始し、または音声通信データなど、多様な種類の情報またはデータを含む無線信号を送信するためにトランシーバを制御することができる。トランシーバは、無線信号の送信及び受信のために送信機及び受信機を含む。アンテナ２３４０は、無線信号の送信及び受信を容易にすることができる。一部具現例において、トランシーバは、無線信号を受信すると、プロセッサによる処理のために信号を基底帯域周波数でフォワーディングして変換できる。処理された信号は、スピーカ２３４５を介して出力されるように可聴または読み取り可能な情報に変換される等、多様な技術により処理されることができる。図２３のトランシーバは、図２０の送受信機１８１２、１８２２である。
【０４０９】
図２３に示していないが、カメラ、ＵＳＢ（Ｕｎｉｖｅｒｓａｌ  Ｓｅｒｉａｌ  Ｂｕｓ）ポートなど、多様な構成要素が端末に追加的に含まれることができる。例えば、カメラは、プロセッサ２３１０と連結されることができる。
【０４１０】
図２３は、端末に対する一つの具現例に過ぎず、具現例はこれに制限されるものではない。端末は、図２３の全ての要素を必須的に含むべきものではない。即ち、一部構成要素、例えば、キーパッド２３２０、ＧＰＳ（Ｇｌｏｂａｌ  Ｐｏｓｉｔｉｏｎｉｎｇ  Ｓｙｓｔｅｍ）チップ２３６０、センサー２３６５、ＳＩＭカード２３２５などは、必須な要素でないこともあり、この場合、端末に含まれないこともある。
【図１】
0006961798.tif 000007
【図２】
0006961798.tif 000008
【図３】
0006961798.tif 000009
【図４】
0006961798.tif 000010
【図５】
0006961798.tif 000011
【図６】
0006961798.tif 000012
【図７】
0006961798.tif 000013
【図８】
0006961798.tif 000014
【図９】
0006961798.tif 000015
【図１０】
0006961798.tif 000016
【図１１】
0006961798.tif 000017
【図１２】
0006961798.tif 000018
【図１３】
0006961798.tif 000019
【図１４】
0006961798.tif 000020
【図１５】
0006961798.tif 000021
【図１６】
0006961798.tif 000022
【図１７】
0006961798.tif 000023
【図１８】
0006961798.tif 000024
【図１９】
0006961798.tif 000025
【図２０】
0006961798.tif 000026
【図２１】
0006961798.tif 000027
【図２２】
0006961798.tif 000028
【図２３】
0006961798.tif 000029